(57)【要約】本発明は、無線通信の技術分野に属し、スロットフォーマット指示方法、装置、機器、システム及び記憶媒体を提供する。前記方法は、ターゲットチャネルがアイドル状態にあることをセンシングした場合、スロットフォーマット指示情報を当該ターゲットチャネルを介してユーザ機器（ＵＥ）に送信することであって、当該スロットフォーマット指示情報は、ターゲットの部分スロットに含まれるＮ（Ｎは１４より小さい正の整数である）個のシンボルのリンクフォーマットを指示することを含み、ここで、当該ターゲットの部分スロットは、基地局が当該ターゲットチャネルを占有している期間内にあり、当該ターゲットチャネルは無認可スペクトル上に位置する。本発明の実施例で提供するスロットフォーマット指示方法は、基地局とＵＥ間の正常の通信に対する部分スロットの悪影響を低減させることができる。【選択図】図５
2021533639.tif 000002
【特許請求の範囲】
【請求項１】
スロットフォーマット指示方法であって、
ターゲットチャネルがアイドル状態にあることをセンシングした場合、スロットフォーマット指示情報を前記ターゲットチャネルを介してユーザ機器（ＵＥ）に送信することであって、前記スロットフォーマット指示情報は、ターゲットの部分スロットに含まれるＮ（Ｎは１４より小さい正の整数である）個のシンボルのアップリンクフォーマット及びダウンリンクフォーマットを指示することを含み、
前記ターゲットの部分スロットは、基地局が前記ターゲットチャネルを占有している期間内にあり、前記ターゲットチャネルは無認可スペクトル上に位置することを特徴とする、前記スロットフォーマット指示方法。
【請求項２】
前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示することを特徴とする、
請求項１に記載のスロットフォーマット指示方法。
【請求項３】
前記スロットフォーマット指示情報は、第１シンボル数指示情報および第１完全スロットフォーマット指示情報を含み、
前記第１シンボル数指示情報は前記Ｎを指示し、前記第１完全スロットフォーマット指示情報は前記第１完全スロットに含まれる１４個のシンボルのアップリンクフォーマット及びダウンリンクフォーマットを指示することを特徴とする、
請求項２に記載のスロットフォーマット指示方法。
【請求項４】
前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示することを特徴とする、
請求項１に記載のスロットフォーマット指示方法。
【請求項５】
前記スロットフォーマット指示情報は、第２シンボル数指示情報及び第２完全スロットフォーマット指示情報を含み、
前記第２シンボル数指示情報は前記Ｎを指示し、前記第２完全スロットフォーマット指示情報は、前記第２完全スロットに含まれる１４個のシンボルのアップリンクフォーマット及びダウンリンクフォーマットを指示することを特徴とする、
請求項４に記載のスロットフォーマット指示方法。
【請求項６】
前記スロットフォーマット指示情報は、前記ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示することを特徴とする、
請求項１に記載のスロットフォーマット指示方法。
【請求項７】
前記スロットフォーマット指示情報は、第３シンボル数指示情報、第３完全スロットフォーマット指示情報および第１開始位置指示情報を含み、
前記第３シンボル数指示情報は前記Ｎを指示し、前記第３完全スロットフォーマット指示情報は、前記第３完全スロットに含まれる１４個のシンボルのアップリンクフォーマット及びダウンリンクフォーマットを指示し、前記第１開始位置指示情報は、前記第３完全スロットでの前記連続するＮ個のシンボルの最初のシンボルの位置を指示することを特徴とする、
請求項６に記載のスロットフォーマット指示方法。
【請求項８】
前記スロットフォーマット指示情報はターゲットフォーマット識別子を含み、前記ターゲットの部分スロットに含まれるＮ個のシンボルのアップリンクフォーマット及びダウンリンクフォーマットは、スロットフォーマットテーブルのうち、前記ターゲットフォーマット識別子に対応するターゲットのアップリンクフォーマット及びダウンリンクフォーマットシーケンスに含まれるＮ個のシンボルのアップリンクフォーマット及びダウンリンクフォーマットであり、
前記スロットフォーマットテーブルには、フォーマット識別子とアップリンクフォーマット及びダウンリンクフォーマットシーケンスとの対応関係が少なくとも１グループ記憶され、前記アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、前記ターゲットの正の整数セットは１４より小さい正の整数を少なくとも１つ含み、前記ターゲットの正の整数セットには前記Ｎが存在することを特徴とする、
請求項１に記載のスロットフォーマット指示方法。
【請求項９】
前記アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じであることを特徴とする、
請求項８に記載のスロットフォーマット指示方法。
【請求項１０】
前記アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なることを特徴とする、
請求項８に記載のスロットフォーマット指示方法。
【請求項１１】
前記ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、前記ターゲットの部分スロットに含まれるＮ個のシンボルのアップリンクフォーマット及びダウンリンクフォーマットは、前記ターゲットのアップリンクフォーマット及びダウンリンクフォーマットシーケンス内の連続するＮ個のシンボルのアップリンクフォーマット及びダウンリンクフォーマットと同じであることを特徴とする、
請求項１０に記載のスロットフォーマット指示方法。
【請求項１２】
前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示することを特徴とする、
請求項１１に記載のスロットフォーマット指示方法。
【請求項１３】
前記スロットフォーマット指示情報を前記ターゲットチャネルを介してユーザ機器（ＵＥ）に送信することは、
ターゲットダウンリンク制御情報（ＤＣＩ）を前記ターゲットチャネルを介して前記ＵＥに送信することを含み、前記ターゲットＤＣＩは前記スロットフォーマット指示情報を搬送することを特徴とする、
請求項１ないし１２のいずれか一項に記載のスロットフォーマット指示方法。
【請求項１４】
スロットフォーマット指示方法であって、
基地局によってターゲットチャネルを介して送信されたスロットフォーマット指示情報を受信することであって、前記スロットフォーマット指示情報は、ターゲットの部分スロットに含まれるＮ（Ｎは１４より小さい正の整数である）個のシンボルのアップリンクフォーマット及びダウンリンクフォーマットを指示することを含み、
前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置することを特徴とする、前記スロットフォーマット指示方法。
【請求項１５】
前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示することを特徴とする、
請求項１４に記載のスロットフォーマット指示方法。
【請求項１６】
前記スロットフォーマット指示情報は、第１シンボル数指示情報および第１完全スロットフォーマット指示情報を含み、
前記第１シンボル数指示情報は前記Ｎを指示し、前記第１完全スロットフォーマット指示情報は前記第１完全スロットに含まれる１４個のシンボルのアップリンクフォーマット及びダウンリンクフォーマットを指示することを特徴とする、
請求項１５に記載のスロットフォーマット指示方法。
【請求項１７】
前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示することを特徴とする、
請求項１４に記載のスロットフォーマット指示方法。
【請求項１８】
前記スロットフォーマット指示情報は、第２シンボル数指示情報及び第２完全スロットフォーマット指示情報を含み、
前記第２シンボル数指示情報は前記Ｎを指示し、前記第２完全スロットフォーマット指示情報は、前記第２完全スロットに含まれる１４個のシンボルのアップリンクフォーマット及びダウンリンクフォーマットを指示することを特徴とする、
請求項１７に記載のスロットフォーマット指示方法。
【請求項１９】
前記スロットフォーマット指示情報は、前記ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示することを特徴とする、
請求項１４に記載のスロットフォーマット指示方法。
【請求項２０】
前記スロットフォーマット指示情報は、第３シンボル数指示情報、第３完全スロットフォーマット指示情報および第１開始位置指示情報を含み、
前記第３シンボル数指示情報は前記Ｎを指示し、前記第３完全スロットフォーマット指示情報は、前記第３完全スロットに含まれる１４個のシンボルのアップリンクフォーマット及びダウンリンクフォーマットを指示し、前記第１開始位置指示情報は、前記第３完全スロットでの前記連続するＮ個のシンボルの最初のシンボルの位置を指示することを特徴とする、
請求項１９に記載のスロットフォーマット指示方法。
【請求項２１】
前記スロットフォーマット指示情報はターゲットフォーマット識別子を含み、前記ターゲットの部分スロットに含まれるＮ個のシンボルのアップリンクフォーマット及びダウンリンクフォーマットは、スロットフォーマットテーブルのうち、前記ターゲットフォーマット識別子に対応するターゲットのアップリンクフォーマット及びダウンリンクフォーマットシーケンスに含まれるＮ個のシンボルのアップリンクフォーマット及びダウンリンクフォーマットであり、
前記スロットフォーマットテーブルには、フォーマット識別子とアップリンクフォーマット及びダウンリンクフォーマットシーケンスとの対応関係が少なくとも１グループ記憶され、前記アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、前記ターゲットの正の整数セットは１４より小さい正の整数を少なくとも１つ含み、前記ターゲットの正の整数セットには前記Ｎが存在することを特徴とする、
請求項１４に記載のスロットフォーマット指示方法。
【請求項２２】
前記アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じであることを特徴とする、
請求項２１に記載のスロットフォーマット指示方法。
【請求項２３】
前記アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なることを特徴とする、
請求項２１に記載のスロットフォーマット指示方法。
【請求項２４】
前記ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、前記ターゲットの部分スロットに含まれるＮ個のシンボルのアップリンクフォーマット及びダウンリンクフォーマットは、前記ターゲットのアップリンクフォーマット及びダウンリンクフォーマットシーケンス内の連続するＮ個のシンボルのアップリンクフォーマット及びダウンリンクフォーマットと同じであることを特徴とする、
請求項２３に記載のスロットフォーマット指示方法。
【請求項２５】
前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示することを特徴とする、
請求項２４に記載のスロットフォーマット指示方法。
【請求項２６】
前記基地局によってターゲットチャネルを介して送信されたスロットフォーマット指示情報を受信することは、
前記基地局によって前記ターゲットチャネルを介して送信されたターゲットダウンリンク制御情報（ＤＣＩ）を受信することを含み、ターゲットＤＣＩは前記スロットフォーマット指示情報を搬送することを特徴とする、
請求項１４ないし２５のいずれか一項に記載のスロットフォーマット指示方法。
【請求項２７】
スロットフォーマット指示装置であって、
ターゲットチャネルがアイドル状態にあることをセンシングした場合、スロットフォーマット指示情報を前記ターゲットチャネルを介してユーザ機器（ＵＥ）に送信するように構成される送信モジュールであって、前記スロットフォーマット指示情報は、ターゲットの部分スロットに含まれるＮ（Ｎは１４より小さい正の整数である）個のシンボルのアップリンクフォーマット及びダウンリンクフォーマットを指示する送信モジュールを備え、
前記ターゲットの部分スロットは、基地局が前記ターゲットチャネルを占有している期間内にあり、前記ターゲットチャネルは無認可スペクトル上に位置することを特徴とする、前記スロットフォーマット指示装置。
【請求項２８】
スロットフォーマット指示装置であって、
基地局によってターゲットチャネルを介して送信されたスロットフォーマット指示情報を受信するように構成される受信モジュールであって、前記スロットフォーマット指示情報は、ターゲットの部分スロットに含まれるＮ（Ｎは１４より小さい正の整数である）個のシンボルのアップリンクフォーマット及びダウンリンクフォーマットを指示する受信モジュールを備え、
前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置することを特徴とする、前記スロットフォーマット指示装置。
【請求項２９】
基地局であって、
プロセッサと、
プロセッサ実行可能命令を記憶するように構成されるメモリとを備え、
前記プロセッサは、
ターゲットチャネルがアイドル状態にあることをセンシングした場合、スロットフォーマット指示情報を前記ターゲットチャネルを介してユーザ機器（ＵＥ）に送信するように構成され、前記スロットフォーマット指示情報は、ターゲットの部分スロットに含まれるＮ（Ｎは１４より小さい正の整数である）個のシンボルのアップリンクフォーマット及びダウンリンクフォーマットを指示し、
前記ターゲットの部分スロットは、基地局が前記ターゲットチャネルを占有している期間内にあり、前記ターゲットチャネルは無認可スペクトル上に位置することを特徴とする、前記基地局。
【請求項３０】
ユーザ機器であって、
プロセッサと、
プロセッサ実行可能命令を記憶するように構成されるメモリとを備え、
前記プロセッサは、
基地局によってターゲットチャネルを介して送信されたスロットフォーマット指示情報を受信するように構成され、前記スロットフォーマット指示情報は、ターゲットの部分スロットに含まれるＮ（Ｎは１４より小さい正の整数である）個のシンボルのアップリンクフォーマット及びダウンリンクフォーマットを指示し、
前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置することを特徴とする、前記ユーザ機器。
【請求項３１】
スロットフォーマット指示システムであって、
請求項２７に記載のスロットフォーマット指示装置と、請求項２８に記載のスロットフォーマット指示装置とを備えることを特徴とする、前記スロットフォーマット指示システム。
【請求項３２】
コンピュータ可読記憶媒体であって、
コンピュータプログラムが記憶され、記憶された前記コンピュータプログラムが処理コンポーネントによって実行される時に、請求項１ないし１３のいずれか一項に記載のスロットフォーマット指示方法を実現することができ、または、
記憶された前記コンピュータプログラムが処理コンポーネントによって実行される時に、請求項１４ないし２６のいずれか一項に記載のスロットフォーマット指示方法を実現することができる、前記コンピュータ可読記憶媒体。
【発明の詳細な説明】
【技術分野】
【０００１】
本発明は、無線通信の技術分野に関し、特に、スロットフォーマット指示方法、装置、機器、システム及び記憶媒体に関する。
【背景技術】
【０００２】
無線通信技術の開発に伴い、ますます多くの通信システムが、無認可スペクトル上のチャネルを介して通信データの伝送を実行することができるようになっている。無認可スペクトル上では複数の通信システムが動作することができるため、複数の通信システム間の公平性を考慮すると、無認可スペクトル上の基地局の通信は、通常、リッスンビフォートーク（ＬＢＴ：Ｌｉｓｔｅｎ  Ｂｅｆｏｒｅ  Ｔａｌｋ）メカニズムを採用する。即ち、基地局は、通信データを送信する前に、先ず無認可スペクトル上のチャネルをセンシングし、チャネルがアイドル状態であるとセンシングした場合のみ、当該無認可スペクトル上のチャネルを占有して通信データを送信する。
【０００３】
実際の応用では、基地局が無認可スペクトル上のチャネルの占有を開始する時刻は、特定の完全スロットの中央位置にある可能がある。即ち、基地局が無認可スペクトル上のチャネルを占有している期間内に、部分スロット（ｐａｒｔｉａｌ  ｓｌｏｔ）が存在する可能性があり、いわゆる部分スロットとは、完全スロットに対する概念であり、ここで、１つの完全スロットに含まれるシンボル（ｓｙｍｂｏｌ）の数は１４個であり、部分スロットに含まれるシンボルの数は１４個より小さい。
【０００４】
部分スロットは基地局とユーザ機器（ＵＥ：Ｕｓｅｒ  Ｅｑｕｉｐｍｅｎｔ）間の正常の通信に悪影響を与える可能性があるため、現在、基地局とＵＥ間の正常の通信に対する部分スロットの悪影響を低減させる方法が緊急に必要とされている。
【発明の概要】
【発明が解決しようとする課題】
【０００５】
本発明の実施例は、基地局とＵＥ間の正常の通信に対する部分スロットの悪影響を低減させることができる、スロットフォーマット指示方法、装置、機器、システム及び記憶媒体を提供する。
【課題を解決するための手段】
【０００６】
本発明の実施例の第１態様によれば、スロットフォーマット指示方法を提供し、前記方法は、
ターゲットチャネルがアイドル状態にあることをセンシングした場合、スロットフォーマット指示情報を前記ターゲットチャネルを介してユーザ機器（ＵＥ）に送信することであって、前記スロットフォーマット指示情報は、ターゲットの部分スロットに含まれるＮ（Ｎは１４より小さい正の整数である）個のシンボルのアップリンクフォーマット及びダウンリンクフォーマットを指示することを含み、
ここで、前記ターゲットの部分スロットは、基地局が前記ターゲットチャネルを占有している期間内にあり、前記ターゲットチャネルは無認可スペクトル上に位置する。
【０００７】
例示的に、前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示する。
【０００８】
例示的に、前記スロットフォーマット指示情報は、第１シンボル数指示情報および第１完全スロットフォーマット指示情報を含み、
ここで、前記第１シンボル数指示情報は前記Ｎを指示し、前記第１完全スロットフォーマット指示情報は前記第１完全スロットに含まれる１４個のシンボルのアップリンクフォーマット及びダウンリンクフォーマットを指示する。
【０００９】
例示的に、前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示する。
【００１０】
例示的に、前記スロットフォーマット指示情報は、第２シンボル数指示情報及び第２完全スロットフォーマット指示情報を含み、
ここで、前記第２シンボル数指示情報は前記Ｎを指示し、前記第２完全スロットフォーマット指示情報は、前記第２完全スロットに含まれる１４個のシンボルのアップリンクフォーマット及びダウンリンクフォーマットを指示する。
【００１１】
例示的に、前記スロットフォーマット指示情報は、前記ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示する。
【００１２】
例示的に、前記スロットフォーマット指示情報は、第３シンボル数指示情報、第３完全スロットフォーマット指示情報および第１開始位置指示情報を含み、
ここで、前記第３シンボル数指示情報は前記Ｎを指示し、前記第３完全スロットフォーマット指示情報は、前記第３完全スロットに含まれる１４個のシンボルのアップリンクフォーマット及びダウンリンクフォーマットを指示し、前記第１開始位置指示情報は、前記第３完全スロットでの前記連続するＮ個のシンボルの最初のシンボルの位置を指示する。
【００１３】
例示的に、前記スロットフォーマット指示情報はターゲットフォーマット識別子を含み、前記ターゲットの部分スロットに含まれるＮ個のシンボルのアップリンクフォーマット及びダウンリンクフォーマットは、スロットフォーマットテーブルのうち、前記ターゲットフォーマット識別子に対応するターゲットのアップリンクフォーマット及びダウンリンクフォーマットシーケンスに含まれるＮ個のシンボルのアップリンクフォーマット及びダウンリンクフォーマットである。
【００１４】
前記スロットフォーマットテーブルには、フォーマット識別子とアップリンクフォーマット及びダウンリンクフォーマットシーケンスとの対応関係が少なくとも１グループ記憶され、前記アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、前記ターゲットの正の整数セットは１４より小さい正の整数を少なくとも１つ含み、前記ターゲットの正の整数セットには前記Ｎが存在する。
【００１５】
例示的に、前記アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じである。
【００１６】
例示的に、前記アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なる。
【００１７】
例示的に、前記ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、前記ターゲットの部分スロットに含まれるＮ個のシンボルのアップリンクフォーマット及びダウンリンクフォーマットは、前記ターゲットのアップリンクフォーマット及びダウンリンクフォーマットシーケンス内の連続するＮ個のシンボルのアップリンクフォーマット及びダウンリンクフォーマットと同じである。
【００１８】
例示的に、前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示する。
【００１９】
例示的に、前記スロットフォーマット指示情報を前記ターゲットチャネルを介してユーザ機器（ＵＥ）に送信することは、
ターゲットダウンリンク制御情報（ＤＣＩ）を前記ターゲットチャネルを介して前記ＵＥに送信することを含み、ここで、ターゲットＤＣＩは前記スロットフォーマット指示情報を搬送する。
【００２０】
本発明の実施例の第２態様によれば、スロットフォーマット指示方法を提供し、前記方法は、
基地局によってターゲットチャネルを介して送信されたスロットフォーマット指示情報を受信することであって、前記スロットフォーマット指示情報は、ターゲットの部分スロットに含まれるＮ（Ｎは１４より小さい正の整数である）個のシンボルのアップリンクフォーマット及びダウンリンクフォーマットを指示することを含み、
ここで、前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置する。
【００２１】
例示的に、前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示する。
【００２２】
例示的に、前記スロットフォーマット指示情報は、第１シンボル数指示情報および第１完全スロットフォーマット指示情報を含み、
ここで、前記第１シンボル数指示情報は前記Ｎを指示し、前記第１完全スロットフォーマット指示情報は前記第１完全スロットに含まれる１４個のシンボルのアップリンクフォーマット及びダウンリンクフォーマットを指示する。
【００２３】
例示的に、前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示する。
【００２４】
例示的に、前記スロットフォーマット指示情報は、第２シンボル数指示情報及び第２完全スロットフォーマット指示情報を含み、
前記第２シンボル数指示情報は前記Ｎを指示し、前記第２完全スロットフォーマット指示情報は、前記第２完全スロットに含まれる１４個のシンボルのアップリンクフォーマット及びダウンリンクフォーマットを指示する。
【００２５】
例示的に、前記スロットフォーマット指示情報は、前記ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示する。
【００２６】
例示的に、前記スロットフォーマット指示情報は、第３シンボル数指示情報、第３完全スロットフォーマット指示情報および第１開始位置指示情報を含み、
ここで、前記第３シンボル数指示情報は前記Ｎを指示し、前記第３完全スロットフォーマット指示情報は、前記第３完全スロットに含まれる１４個のシンボルのアップリンクフォーマット及びダウンリンクフォーマットを指示し、前記第１開始位置指示情報は、前記第３完全スロットでの前記連続するＮ個のシンボルの最初のシンボルの位置を指示する。
【００２７】
例示的に、前記スロットフォーマット指示情報はターゲットフォーマット識別子を含み、前記ターゲットの部分スロットに含まれるＮ個のシンボルのアップリンクフォーマット及びダウンリンクフォーマットは、スロットフォーマットテーブルのうち、前記ターゲットフォーマット識別子に対応するターゲットのアップリンクフォーマット及びダウンリンクフォーマットシーケンスに含まれるＮ個のシンボルのアップリンクフォーマット及びダウンリンクフォーマットである。
【００２８】
前記スロットフォーマットテーブルには、フォーマット識別子とアップリンクフォーマット及びダウンリンクフォーマットシーケンスとの対応関係が少なくとも１グループ記憶され、前記アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、前記ターゲットの正の整数セットは１４より小さい正の整数を少なくとも１つ含み、前記ターゲットの正の整数セットには前記Ｎが存在する。
【００２９】
例示的に、前記アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じである。
【００３０】
例示的に、前記アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なる。
【００３１】
例示的に、前記ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、前記ターゲットの部分スロットに含まれるＮ個のシンボルのアップリンクフォーマット及びダウンリンクフォーマットは、前記ターゲットのアップリンクフォーマット及びダウンリンクフォーマットシーケンス内の連続するＮ個のシンボルのアップリンクフォーマット及びダウンリンクフォーマットと同じである。
【００３２】
例示的に、前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示する。
【００３３】
例示的に、前記基地局によってターゲットチャネルを介して送信されたスロットフォーマット指示情報を受信することは、
前記基地局によって前記ターゲットチャネルを介して送信されたターゲットダウンリンク制御情報（ＤＣＩ）を受信することを含み、ここで、ターゲットＤＣＩは前記スロットフォーマット指示情報を搬送する。
【００３４】
本発明の実施例の第３態様によれば、スロットフォーマット指示装置を提供し、前記装置は、
ターゲットチャネルがアイドル状態にあることをセンシングした場合、スロットフォーマット指示情報を前記ターゲットチャネルを介してユーザ機器（ＵＥ）に送信するように構成される送信モジュールであって、前記スロットフォーマット指示情報は、ターゲットの部分スロットに含まれるＮ（Ｎは１４より小さい正の整数である）個のシンボルのアップリンクフォーマット及びダウンリンクフォーマットを指示する送信モジュールを備え、
ここで、前記ターゲットの部分スロットは、基地局が前記ターゲットチャネルを占有している期間内にあり、前記ターゲットチャネルは無認可スペクトル上に位置する。
【００３５】
例示的に、前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示する。
【００３６】
例示的に、前記スロットフォーマット指示情報は、第１シンボル数指示情報および第１完全スロットフォーマット指示情報を含み、
ここで、前記第１シンボル数指示情報は前記Ｎを指示し、前記第１完全スロットフォーマット指示情報は前記第１完全スロットに含まれる１４個のシンボルのアップリンクフォーマット及びダウンリンクフォーマットを指示する。
【００３７】
例示的に、前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示する。
【００３８】
例示的に、前記スロットフォーマット指示情報は、第２シンボル数指示情報及び第２完全スロットフォーマット指示情報を含み、
ここで、前記第２シンボル数指示情報は前記Ｎを指示し、前記第２完全スロットフォーマット指示情報は、前記第２完全スロットに含まれる１４個のシンボルのアップリンクフォーマット及びダウンリンクフォーマットを指示する。
【００３９】
例示的に、前記スロットフォーマット指示情報は、前記ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示する。
【００４０】
例示的に、前記スロットフォーマット指示情報は、第３シンボル数指示情報、第３完全スロットフォーマット指示情報および第１開始位置指示情報を含み、
ここで、前記第３シンボル数指示情報は前記Ｎを指示し、前記第３完全スロットフォーマット指示情報は、前記第３完全スロットに含まれる１４個のシンボルのアップリンクフォーマット及びダウンリンクフォーマットを指示し、前記第１開始位置指示情報は、前記第３完全スロットでの前記連続するＮ個のシンボルの最初のシンボルの位置を指示する。
【００４１】
例示的に、前記スロットフォーマット指示情報はターゲットフォーマット識別子を含み、前記ターゲットの部分スロットに含まれるＮ個のシンボルのアップリンクフォーマット及びダウンリンクフォーマットは、スロットフォーマットテーブルのうち、前記ターゲットフォーマット識別子に対応するターゲットのアップリンクフォーマット及びダウンリンクフォーマットシーケンスに含まれるＮ個のシンボルのアップリンクフォーマット及びダウンリンクフォーマットである。
【００４２】
前記スロットフォーマットテーブルには、フォーマット識別子とアップリンクフォーマット及びダウンリンクフォーマットシーケンスとの対応関係が少なくとも１グループ記憶され、前記アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、前記ターゲットの正の整数セットは１４より小さい正の整数を少なくとも１つ含み、前記ターゲットの正の整数セットには前記Ｎが存在する。
【００４３】
例示的に、前記アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じである。
【００４４】
例示的に、前記アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なる。
【００４５】
例示的に、前記ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、前記ターゲットの部分スロットに含まれるＮ個のシンボルのアップリンクフォーマット及びダウンリンクフォーマットは、前記ターゲットのアップリンクフォーマット及びダウンリンクフォーマットシーケンス内の連続するＮ個のシンボルのアップリンクフォーマット及びダウンリンクフォーマットと同じである。
【００４６】
例示的に、前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示する。
【００４７】
例示的に、前記送信モジュールは、具体的に、
ターゲットダウンリンク制御情報（ＤＣＩ）を前記ターゲットチャネルを介して前記ＵＥに送信するように構成され、ここで、ターゲットＤＣＩは前記スロットフォーマット指示情報を搬送する。
【００４８】
本発明の実施例の第４態様によれば、スロットフォーマット指示装置を提供し、前記装置は、
基地局によってターゲットチャネルを介して送信されたスロットフォーマット指示情報を受信するように構成される受信モジュールであって、前記スロットフォーマット指示情報は、ターゲットの部分スロットに含まれるＮ（Ｎは１４より小さい正の整数である）個のシンボルのアップリンクフォーマット及びダウンリンクフォーマットを指示する受信モジュールを備え、
ここで、前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置する。
【００４９】
例示的に、前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示する。
【００５０】
例示的に、前記スロットフォーマット指示情報は、第１シンボル数指示情報および第１完全スロットフォーマット指示情報を含み、
ここで、前記第１シンボル数指示情報は前記Ｎを指示し、前記第１完全スロットフォーマット指示情報は前記第１完全スロットに含まれる１４個のシンボルのアップリンクフォーマット及びダウンリンクフォーマットを指示する。
【００５１】
例示的に、前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示する。
【００５２】
例示的に、前記スロットフォーマット指示情報は、第２シンボル数指示情報及び第２完全スロットフォーマット指示情報を含み、
ここで、前記第２シンボル数指示情報は前記Ｎを指示し、前記第２完全スロットフォーマット指示情報は、前記第２完全スロットに含まれる１４個のシンボルのアップリンクフォーマット及びダウンリンクフォーマットを指示する。
【００５３】
例示的に、前記スロットフォーマット指示情報は、前記ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示する。
【００５４】
例示的に、前記スロットフォーマット指示情報は、第３シンボル数指示情報、第３完全スロットフォーマット指示情報および第１開始位置指示情報を含み、
ここで、前記第３シンボル数指示情報は前記Ｎを指示し、前記第３完全スロットフォーマット指示情報は、前記第３完全スロットに含まれる１４個のシンボルのアップリンクフォーマット及びダウンリンクフォーマットを指示し、前記第１開始位置指示情報は、前記第３完全スロットでの前記連続するＮ個のシンボルの最初のシンボルの位置を指示する。
【００５５】
例示的に、前記スロットフォーマット指示情報はターゲットフォーマット識別子を含み、前記ターゲットの部分スロットに含まれるＮ個のシンボルのアップリンクフォーマット及びダウンリンクフォーマットは、スロットフォーマットテーブルのうち、前記ターゲットフォーマット識別子に対応するターゲットのアップリンクフォーマット及びダウンリンクフォーマットシーケンスに含まれるＮ個のシンボルのアップリンクフォーマット及びダウンリンクフォーマットである。
【００５６】
前記スロットフォーマットテーブルには、フォーマット識別子とアップリンクフォーマット及びダウンリンクフォーマットシーケンスとの対応関係が少なくとも１グループ記憶され、前記アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、前記ターゲットの正の整数セットは１４より小さい正の整数を少なくとも１つ含み、前記ターゲットの正の整数セットには前記Ｎが存在する。
【００５７】
例示的に、前記アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じである。
【００５８】
例示的に、前記アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なる。
【００５９】
例示的に、前記ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、前記ターゲットの部分スロットに含まれるＮ個のシンボルのアップリンクフォーマット及びダウンリンクフォーマットは、前記ターゲットのアップリンクフォーマット及びダウンリンクフォーマットシーケンス内の連続するＮ個のシンボルのアップリンクフォーマット及びダウンリンクフォーマットと同じである。
【００６０】
例示的に、前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示する。
【００６１】
例示的に、前記受信モジュールは、具体的に、
前記基地局によって前記ターゲットチャネルを介して送信されたターゲットダウンリンク制御情報（ＤＣＩ）を受信するように構成され、ここで、ターゲットＤＣＩは前記スロットフォーマット指示情報を搬送する。
【００６２】
本発明の実施例の第５態様によれば、基地局を提供し、前記基地局は、
プロセッサと、
プロセッサ実行可能命令を記憶するように構成されるメモリとを備え、
前記プロセッサは、
ターゲットチャネルがアイドル状態にあることをセンシングした場合、スロットフォーマット指示情報を前記ターゲットチャネルを介してユーザ機器（ＵＥ）に送信するように構成され、前記スロットフォーマット指示情報は、ターゲットの部分スロットに含まれるＮ（Ｎは１４より小さい正の整数である）個のシンボルのアップリンクフォーマット及びダウンリンクフォーマットを指示し、
ここで、前記ターゲットの部分スロットは、基地局が前記ターゲットチャネルを占有している期間内にあり、前記ターゲットチャネルは無認可スペクトル上に位置する。
【００６３】
本発明の実施例の第６態様によれば、ユーザ機器を提供し、前記ユーザ機器は、
プロセッサと、
プロセッサ実行可能命令を記憶するように構成されるメモリとを備え、
前記プロセッサは、
基地局によってターゲットチャネルを介して送信されたスロットフォーマット指示情報を受信するように構成され、前記スロットフォーマット指示情報は、ターゲットの部分スロットに含まれるＮ（Ｎは１４より小さい正の整数である）個のシンボルのアップリンクフォーマット及びダウンリンクフォーマットを指示し、
ここで、前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置する。
【００６４】
本発明の実施例の第７態様によれば、スロットフォーマット指示システムを提供し、前記スロットフォーマット指示システムは、上記の第３態様のいずれか１つに記載のスロットフォーマット指示装置と、上記の第４態様のいずれか１つに記載のスロットフォーマット指示装置とを備える。
【００６５】
本発明の実施例の第８態様によれば、コンピュータ可読記憶媒体を提供し、前記コンピュータ可読記憶媒体には、コンピュータプログラムが記憶され、記憶された前記コンピュータプログラムが処理コンポーネントによって実行される時に、上記の第１態様のいずれか１つに記載のスロットフォーマット指示方法を実現することができ、または、
記憶された前記コンピュータプログラムが処理コンポーネントによって実行される時に、上記の第２態様のいずれか１つに記載のスロットフォーマット指示方法を実現することができる。
【発明の効果】
【００６６】
本発明の実施例によって提供される技術的解決策は、少なくとも、以下の有利な効果を含み得る。
【００６７】
無認可スペクトル上にあるターゲットチャネルがアイドル状態にある場合、当該ターゲットチャネルを介してスロットフォーマット指示情報をユーザ機器（ＵＥ）に送信し、ここで、当該スロットフォーマット指示情報は、ターゲットの部分スロットに含まれるＮ個のシンボルのアップリンクフォーマット及びダウンリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのアップリンクフォーマット及びダウンリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【００６８】
上記した一般的な説明および後述する詳細な説明は、単なる例示および説明に過ぎず、本発明を限定するものではないことを理解されたい。
【図面の簡単な説明】
【００６９】
ここでの図面は、本明細書に組み込まれてその一部を構成し、本発明と一致する実施例を示し、明細書とともに本発明の原理を説明するために使用される。
【図１】基地局が無認可スペクトル上のチャネルを占有している期間内のスロットの概略図である。
【図２】一例示的な実施例によって示された実施環境の概略図である。
【図３】一例示的な実施例によって示されたスロットフォーマット指示方法のフローチャートである。
【図４】一例示的な実施例によって示されたスロットフォーマット指示方法のフローチャートである。
【図５】一例示的な実施例によって示されたスロットフォーマット指示方法のフローチャートである。
【図６】一例示的な実施例によって示されたスロットフォーマット指示装置のブロック図である。
【図７】一例示的な実施例によって示されたスロットフォーマット指示装置のブロック図である。
【図８】一例示的な実施例によって示されたスロットフォーマット指示装置のブロック図である。
【図９】一例示的な実施例によって示されたスロットフォーマット指示装置のブロック図である。
【図１０】一例示的な実施例によって示されたスロットフォーマット指示システムのブロック図である。
【発明を実施するための形態】
【００７０】
本発明の目的、技術的解決策及び利点をより明確にするために、以下では、図面と組み合わせて本発明の実施形態についてさらに詳しく説明する。
【００７１】
ここで、例示的な実施例について詳細に説明し、その例は図面に示す。特に明記しない限り、以下の説明が添付の図面に関する場合、異なる図面の同じ数字は同じまたは類似の要素を表す。以下の例示的な実施例で説明される実施形態は、本発明と一致するすべての実施形態を表すものではない。むしろ、それらは、添付された特許請求の範囲に詳述されたように、本発明の特定の態様と一致する装置および方法の例である。
【００７２】
５Ｇ  ＮＲ（Ｎｅｗ  Ｒａｄｉｏ  Ａｃｃｅｓｓ  Ｔｅｃｈｎｏｌｏｇｙ）通信システムにおいて、１つの完全スロットは、１４個のシンボル（ｓｙｍｂｏｌ）を含み、完全スロットのフォーマットとは、当該完全スロットに含まれる各シンボルのアップリンクフォーマット及びダウンリンクフォーマットを指す。
【００７３】
ここで、シンボルのアップリンクフォーマット及びダウンリンクフォーマットは、シンボル内のデータの伝送方向を表すために使用され、５Ｇ  ＮＲ通信システムにおいて、シンボルのアップリンクフォーマット及びダウンリンクフォーマットは、それそれ、アップリンクフォーマット（通常、アルファベットＵで表す）、ダウンリックフォーマット（通常、アルファベットＤで表す）及びフレキシブルフォーマット（通常、アルファベットＸで表す）などの３つのカテゴリに分類することができる。
【００７４】
アップリンクフォーマットのシンボルにおいて、データの伝送方向はアップリンク方向であり、ユーザ機器（ＵＥ：Ｕｓｅｒ  Ｅｑｕｉｐｍｅｎｔ）は、通信データをアップリンクフォーマットのシンボル内で基地局に送信することができ、ダウンリックフォーマットのシンボルにおいて、データの伝送方向はダウンリック方向であり、ＵＥは、基地局によって送信された通信データをダウンリックフォーマットのシンボル内で受信することができ、フレキシブルフォーマットのシンボルにおいて、ＵＥは、基地局の更なる指定によって、当該シンボル内のデータの伝送方向を決定する必要があり、即ち、ＵＥは、基地局の更なる指定によって、ＵＥが当該シンボル内で通信データを基地局に送信することができるかどうかを決定する必要があり、または、ＵＥは、基地局の更なる指示によって、ＵＥが当該シンボル内で基地局によって送信された通信データを受信するかどうかを決定する必要がある。
【００７５】
現在、５Ｇ  ＮＲ通信システムは、完全スロットフォーマットのテーブルを定義し、テーブルには、２５６種類のフォーマットがある。ここで、最初の５６種類の完全スロットのフォーマットは明確に示され、その後の２００種類のフォーマットは、後続の決定のために予定されている。この５６種類の完全スロットのフォーマットは、テーブル１に示される。
【００７６】
【表１−１】
2021533639.tif 000003
【００７７】
【表１−２】
2021533639.tif 000004
【００７８】
表１に示されたように、スロットフォーマット番号が０である完全スロットフォーマットでは、各シンボルのアップリンクフォーマット及びダウンリンクフォーマットがすべてダウンリックフォーマットであり、スロットフォーマット番号が１である完全スロットフォーマットでは、各シンボルのアップリンクフォーマット及びダウンリンクフォーマットがすべてアップリンクフォーマットであり、スロットフォーマット番号が３である完全スロットフォーマットでは、最初の１３個のシンボルのアップリンクフォーマット及びダウンリンクフォーマットがすべてダウンリックフォーマットであり、最後のシンボルのアップリンクフォーマット及びダウンリンクフォーマットがフレキシブルフォーマットである。
【００７９】
５Ｇ  ＮＲ通信システムにおいて、基地局は、８ビット長のデータを使用して完全スロットのフォーマットをＵＥに指示することができる。このように、ＵＥは、基地局の指示に従って、完全スロットの各シンボルのアップリンクフォーマット及びダウンリンクフォーマットを決定することができ、完全スロットの各シンボルのアップリンクフォーマット及びダウンリンクフォーマットを決定した後、ＰＤＣＣＨを介して基地局からＵＥに送信されたダウンリンク制御情報（ＤＣＩ：Ｄｏｗｎｌｉｎｋ  Ｃｏｎｔｒｏｌ  Ｉｎｆｏｒｍａｔｉｏｎ）を受信するために、当該ＵＥは、ダウンリックフォーマットのシンボル内で物理ダウンリック控制チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）に対してブラインド検出を実行し、当該ＤＣＩのスケジューリングに従って、基地局によって送信された通信データを受信することができる同時に、ＵＥは、基地局の許可を要求することなく、アップリンクフォーマットのシンボル内で通信データを基地局に送信することもできる。
【００８０】
完全スロット内の各シンボルのアップリンクフォーマット及びダウンリンクフォーマットを決定した後、ＵＥはアップリンクフォーマットのシンボル内でＰＤＣＣＨに対してブラインド検出を実行する必要がない同時に、ＵＥも基地局の許可を要求することなく、アップリンクフォーマットのシンボル内で通信データを基地局に送信することができるため、基地局は、完全スロットのフォーマットをＵＥに指示し、一方ではＵＥの電力消費を低減することができ、もう一方ではＵＥのアップリンク送信遅延を低減することができる。
【００８１】
実際の応用では、５Ｇ  ＮＲ通信システムは無認可スペクトル上で動作することができる。通常、無認可スペクトル上で動作する通信システムにおいて、基地局の通信は、リッスンビフォートーク（ＬＢＴ：Ｌｉｓｔｅｎ  Ｂｅｆｏｒｅ  Ｔａｌｋ）メカニズムを使用し、即ち、基地局は通信データを送信する前に、先ず、無認可スペクトル上のチャネル（以下、ターゲットチャネルと略称）をセンシングする必要があり、ターゲットチャネルがアイドル状態である場合のみ、当該ターゲットチャネルを占有して通信データを送信することができ、同時に、基地局が当該ターゲットチャネルを占有する時間は、最も長いチャネル占有時間（ＭＣＯＴ：Ｍａｘｉｍｕｍ  Ｃｈａｎｎｅｌ  Ｏｃｃｕｐａｎｃｙ  Ｔｉｍｅ）を超えてはならない。ターゲットチャネルを占有する時間がＭＣＯＴに達すると、基地局は、チャネルを競合するために、ＬＢＴを再度実行する必要がある。
【００８２】
実際の応用では、基地局がターゲットチャネルの占有を開始する時刻は、ちょうど完全スロットの中央位置にある可能性が高く、同時に、基地局が当該ターゲットチャネルの占有を終了する時刻も、ちょうど完全スロットの中央位置にある可能性が高い。
【００８３】
例えば、図１に示されたように、基地局がターゲットチャネルの占有を開始する時刻は、ちょうど完全スロット０の中央位置にあり、同時に、基地局が当該ターゲットチャネルの占有を終了する時刻は、ちょうど完全スロット４の中央位置にある。
【００８４】
基地局がターゲットチャネルの占有を開始及び終了する時刻が、両方とも１つの完全スロットの中央位置にある可能性が高いため、基地局がターゲットチャネルを占有する期間内に部分スロット（ｐａｒｔｉａｌ  ｓｌｏｔ）が存在する可能性が高い。いわゆる部分スロットとは、完全スロットに相対的な概念であり、５Ｇ  ＮＲ通信システムにおいて、部分スロットに含まれるシンボル数は１４個より小さい。
【００８５】
例えば、図１に示されたように、基地局がターゲットチャネルの占有を開始する時刻は、ちょうど完全スロット０の中央位置にあり、同時に、基地局が当該ターゲットチャネルの占有を終了する時刻は、ちょうど完全スロット４の中央位置にあるため、基地局がターゲットチャネルを占有する期間内に部分スロット１および部分スロット２が存在する。
【００８６】
現在の通信規格では、部分スロットのフォーマットが定義されていないと同時に、現在の通信規格では、部分スロットの指示方式も定義されていない。したがって、基地局がターゲットチャネルを占有する期間内に部分スロットが存在する場合、ＵＥは、基地局の指示に従って、当該部分スロット内のシンボルのアップリンクフォーマット及びダウンリンクフォーマットを決定することができない。したがって、ＵＥは、当該部分スロットの各シンボルに対してＰＤＣＣＨのブラインド検出を実行する必要がある。同時に、当該部分スロット内で通信データを基地局に送信する必要がある場合、ＵＥは、基地局の許可を要求する必要があり、基地局の指示に従って通信データを送信するが、これは、間違いなく、基地局とＵＥ間の正常の通信に悪影響を及ぼす。
【００８７】
本発明の実施例は、基地局とＵＥ間の正常の通信に対する部分スロットの悪影響を低減させることができる、スロットフォーマット指示方法を提供する。
【００８８】
当該スロットフォーマット指示方法において、基地局は、ターゲットチャネルがアイドル状態にあることをセンシングした場合、スロットフォーマット指示情報をＵＥに送信し、ここで、当該スロットフォーマット指示情報は、ターゲットの部分スロットに含まれるＮ個のシンボルのアップリンクフォーマット及びダウンリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのアップリンクフォーマット及びダウンリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもできる。このように、ＵＥの消費電力及びアップリンク送信遅延を低減させることができるため、基地局とＵＥ間の正常の通信に対する部分スロットの悪影響を低減させることができる。
【００８９】
以下、本発明の実施例で提供するスロットフォーマット指示方法に関する実施環境について説明する。
【００９０】
図２は、本発明の実施例で提供するスロットフォーマット指示方法に関する実施環境の概略図である。図２に示されたように、当該実施環境は基地局１０及びＵＥ２０を含み得る。基地局１０及びＵＥ２０は、通信ネットワークを介して接続することができ、ＵＥ２０は、基地局１０がサービスするセル内の任意のＵＥである。
【００９１】
ここで、上記の通信ネットワークは５Ｇ  ＮＲ通信ネットワークであってもよく、または、５Ｇ  ＮＲ通信ネットワークと類似の他の通信ネットワークであってもよい。
【００９２】
図３は、一例示的な実施例によって示されたスロットフォーマット指示方法のフローチャートであり、当該スロットフォーマット指示方法は、図２に示された基地局１０に使用されてもよく、図３に示されたように、当該スロットフォーマット指示方法は、次のステップを含む。
【００９３】
ステップ３０１において、ターゲットチャネルがアイドル状態にあることをセンシングした場合、基地局は、スロットフォーマット指示情報を当該ターゲットチャネルを介してＵＥに送信する。
【００９４】
ここで、当該スロットフォーマット指示情報は、ターゲットの部分スロットに含まれるＮ（Ｎは１４より小さい正の整数である）個のシンボルのアップリンクフォーマット及びダウンリンクフォーマットを指示し、当該ターゲットの部分スロットは、基地局が当該ターゲットチャネルを占有している期間内にあり、当該ターゲットチャネルは無認可スペクトル上に位置する。
【００９５】
まとめると、本発明の実施例で提供するスロットフォーマット指示方法は、基地局が、無認可スペクトル上にあるターゲットチャネルがアイドル状態にある場合、スロットフォーマット指示情報をＵＥに送信し、ここで、当該スロットフォーマット指示情報は、ターゲットの部分スロットに含まれるＮ個のシンボルのアップリンクフォーマット及びダウンリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのアップリンクフォーマット及びダウンリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【００９６】
図４は、一例示的な実施例によって示されたスロットフォーマット指示方法のフローチャートであり、当該スロットフォーマット指示方法は、図２に示されたＵＥ２０に使用されてもよく、図４に示されたように、当該スロットフォーマット指示方法は、次のステップを含む。
【００９７】
ステップ４０１において、ＵＥが、基地局によってターゲットチャネルを介して送信されたスロットフォーマット指示情報を受信する。
【００９８】
ここで、当該スロットフォーマット指示情報は、ターゲットの部分スロットに含まれるＮ（Ｎは１４より小さい正の整数である）個のシンボルのアップリンクフォーマット及びダウンリンクフォーマットを指示し、当該スロットフォーマット指示情報は、基地局が、当該ターゲットチャネルがアイドル状態にあることをセンシングした時に送信され、当該ターゲットの部分スロットは、基地局が当該ターゲットチャネルを占有している期間内にあり、当該ターゲットチャネルは無認可スペクトル上に位置する。
【００９９】
まとめると、本発明の実施例で提供するスロットフォーマット指示方法は、基地局がターゲットチャネルを使用して送信したスロットフォーマット指示情報を受信し、ここで、当該スロットフォーマット指示情報は、ターゲットの部分スロットに含まれるＮ個のシンボルのアップリンクフォーマット及びダウンリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのアップリンクフォーマット及びダウンリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【０１００】
図５は、一例示的な実施例によって示されたスロットフォーマット指示方法のフローチャートであり、当該スロットフォーマット指示方法は、図２に示された実施環境に使用されてもよく、図５に示されたように、当該スロットフォーマット指示方法は、次のステップを含む。
【０１０１】
ステップ５０１において、基地局が、ターゲットチャネルがアイドル状態にあるかどうかをセンシングする。
【０１０２】
上記のように、無認可スペクトル上で動作する通信システムにおいて、基地局は、通信データを送信する前に、無認可スペクトル上のチャネル（即ち、ターゲットチャネルである）をセンシングする必要があり、ターゲットチャネルがアイドル状態であることをセンシングした場合のみ、当該ターゲットチャネルを占有して通信データを送信する。したがって、本発明の実施例において、基地局は、上記のステップ５０１の技術的プロセスを実行する必要がある。
【０１０３】
ここで、ターゲットチャネルがアイドル状態にあることとは、当該ターゲットチャネルが占用されていないことを指し、対応的に、ターゲットチャネルがノンアイドル状態にあることとは、当該ターゲットチャネルが現在占用されていることを指す。
【０１０４】
ステップ５０２において、ターゲットチャネルがアイドル状態にあることをセンシングした場合、基地局は、スロットフォーマット指示情報をターゲットチャネルを介してＵＥに送信する。
【０１０５】
ターゲットチャネルがアイドル状態にあることをセンシングした場合、基地局は、当該ターゲットチャネルを占有し、当該ターゲットチャネルを介して通信データを伝送することができる。ここで、ＵＥの電力消費を低減し、ＵＥのアップリンク送信遅延を低減するために、即ち、基地局とＵＥ間の正常の通信に対する部分スロットの悪影響を低減するために、基地局は当該ターゲットチャネルを占有した後に、当該ターゲットチャネルを介してスロットフォーマット指示情報をＵＥに送信することができる。
【０１０６】
ここで、スロットフォーマット指示情報は、ターゲットの部分スロットに含まれるＮ（Ｎは１４より小さい正の整数である）個のシンボルのアップリンクフォーマット及びダウンリンクフォーマットを指示し、当該ターゲットの部分スロットは、基地局がターゲットチャネルを占有している期間内にある。例えば、当該ターゲットの部分スロットは、図１に示された部分スロット１または部分スロット２であってもよい。
【０１０７】
本発明の一実施例において、基地局は、ＤＣＩを介して当該スロットフォーマット指示情報をＵＥに送信することができる。即ち、基地局は、ターゲットチャネルがアイドル状態にあることをセンシングした場合、ターゲットチャネルを介してＤＣＩをＵＥに送信することができ、ここで、当該ＤＣＩは、上記のスロットフォーマット指示情報を搬送する。
【０１０８】
本発明の実施例は、スロットフォーマット指示情報がターゲットの部分スロット的フォーマットに対して指示する２つの方式を提供し、ここで、ターゲットの部分スロットのフォーマットとは、当該ターゲットの部分スロットに含まれる各シンボルのアップリンクフォーマット及びダウンリンクフォーマットを指す。以下、本発明の実施例は、この２つの方式について簡単に説明する。
【０１０９】
最初の方式として、スロットフォーマット指示情報は、完全スロット的フォーマットを使用してターゲットの部分スロットのフォーマットを指示することができる。
【０１１０】
上記の説明及び図１に示されたように、基地局がターゲットチャネルを占有している期間には、最大２つのターゲットの部分スロットが存在する可能性があることを分かることができる。当該２つのターゲットの部分スロットは、それぞれ、基地局がターゲットチャネルを占有している期間内の最初のスロット及び最後のスロットであってもよい。
【０１１１】
ここで、ターゲットの部分スロットが、基地局がターゲットチャネルを占有している期間内の最初のスロットであると、当該ターゲットの部分スロットに含まれるＮ個のシンボルは、１つの完全スロットに含まれる１４個のシンボルのうちの最後のＮ個のシンボルであってもよい。ターゲットの部分スロットが、基地局がターゲットチャネルを占有している期間内の最後のスロットであると、当該ターゲットの部分スロットに含まれるＮ個のシンボルは、１つの完全スロットに含まれる１４個のシンボル中的前Ｎ個のシンボルであってもよい。
【０１１２】
例えば、図１では、部分スロット１は７つのシンボルを含み得、当該７つのシンボルは、完全スロット０に含まれる１４個のシンボルのうちの最後の７つのシンボルであり、部分スロット２は７つのシンボルを含み得、当該７つのシンボルは、完全スロット４に含まれる１４個のシンボルのうちの最初の７つのシンボルを含む。
【０１１３】
上記の説明から分かるように、ターゲットの部分スロットに含まれるＮ個のシンボルは、１つの完全スロットに含まれる１４個のシンボルのサブセットであってもよく、したがって、本発明の実施例で提供する最初の指示方式において、スロットフォーマット指示情報は、完全スロットのフォーマットを使用してターゲットの部分スロットのフォーマットを指示することができる。
【０１１４】
例示的に、ターゲットの部分スロットが、基地局がターゲットチャネルを占有している期間内の最初のスロットである場合、当該スロットフォーマット指示情報は、ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示することができる。
【０１１５】
例えば、第１完全スロットのフォーマットは、表１においてスロットフォーマット番号が３である完全スロットフォーマットであってもよく、当該スロットフォーマット指示情報は、ターゲットの部分スロットに含まれるＮ個のシンボルのアップリンクフォーマット及びダウンリンクフォーマットが、スロットフォーマット番号が３である完全スロットフォーマットのうちの最後のＮ個のシンボルのアップリンクフォーマット及びダウンリンクフォーマットと同じであることを指示することができる。表１に示されたように、Ｎが３である場合、スロットフォーマット指示情報によって指示されたターゲットの部分スロットに含まれるＮ（３）個のシンボルのアップリンクフォーマット及びダウンリンクフォーマットは、それぞれ、Ｄ（ダウンリックフォーマット）、Ｄ（ダウンリックフォーマット）及びＸ（フレキシブルフォーマット）である。
【０１１６】
この場合、スロットフォーマット指示情報は、第１シンボル数指示情報及び第１完全スロットフォーマット指示情報を含み得る。
【０１１７】
ここで、第１シンボル数指示情報は、上記のＮ（即ち、ターゲットの部分スロットに含まれるシンボル数である）を指示し、第１完全スロットフォーマット指示情報は、第１完全スロットに含まれる１４個のシンボルのアップリンクフォーマット及びダウンリンクフォーマット（即ち、第１完全スロットのフォーマット）を指示する。
【０１１８】
本発明の一実施例において、当該第１シンボル数指示情報の長さは４ビットであってもよく、第１完全スロットフォーマット指示情報の長さは８ビットであってもよい。
【０１１９】
例示的に、ターゲットの部分スロットが、基地局がターゲットチャネルを占有している期間内の最後のスロットである場合、当該スロットフォーマット指示情報は、ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示することができる。
【０１２０】
例えば、第１完全スロットのフォーマットは、表１においてスロットフォーマット番号が１０である完全スロットフォーマットであってもよく、当該スロットフォーマット指示情報は、ターゲットの部分スロットに含まれるＮ個のシンボルのアップリンクフォーマット及びダウンリンクフォーマットが、スロットフォーマット番号が１０である完全スロットフォーマットのうちの最後のＮ個のシンボルのアップリンクフォーマット及びダウンリンクフォーマットと同じであることを指示することができる。表１に示されたように、Ｎが３である場合、スロットフォーマット指示情報によって指示されたターゲットの部分スロットに含まれるＮ（３）個のシンボルのアップリンクフォーマット及びダウンリンクフォーマットは、それぞれ、Ｘ（フレキシブルフォーマット）、Ｕ（アップリンクフォーマット）及びＵ（ダウンリックフォーマット）である。
【０１２１】
この場合、スロットフォーマット指示情報は、第２シンボル数指示情報及び第２完全スロットフォーマット指示情報を含み得る。
【０１２２】
ここで、第２シンボル数指示情報は、上記のＮ（即ち、ターゲットの部分スロットに含まれるシンボル数である）を指示し、第２完全スロットフォーマット指示情報は、第２完全スロットに含まれる１４個のシンボルのアップリンクフォーマット及びダウンリンクフォーマット（即ち、第２完全スロットのフォーマット）を指示する。
【０１２３】
本発明の一実施例において、当該第２シンボル数指示情報の長さは４ビットであってもよく、第２完全スロットフォーマット指示情報の長さは８ビットであってもよい。
【０１２４】
例示的に、ターゲットの部分スロットが、基地局がターゲットチャネルを占有している期間内の最初または最後のスロットである場合、当該スロットフォーマット指示情報は、さらに、ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示することができる。
【０１２５】
ここで、「連続するＮ個のシンボル」とは、第３完全スロットに含まれる１４個のシンボルのうちの最初のＮ個のシンボル及び最後のＮ個のシンボル以外の任意の連続するＮ個のシンボルであってもよい。
【０１２６】
例えば、第３完全スロットのフォーマットは、表１においてスロットフォーマット番号が１２である完全スロットフォーマットであってもよく、当該スロットフォーマット指示情報は、ターゲットの部分スロットに含まれるＮ個のシンボルのアップリンクフォーマット及びダウンリンクフォーマットが、スロットフォーマット番号が１２である完全スロットフォーマットのうち、フォーマット番号が２であるシンボルを最初のシンボルとする連続するＮ個のシンボルのアップリンクフォーマット及びダウンリンクフォーマットと同じであることを指示することができる。表１に示されたように、Ｎが３である場合、スロットフォーマット指示情報によって指示されたターゲットの部分スロットに含まれるＮ（３）個のシンボルのアップリンクフォーマット及びダウンリンクフォーマットは、それぞれ、Ｘ（フレキシブルフォーマット）、Ｕ（アップリンクフォーマット）及びＵ（アップリンクフォーマット）である。
【０１２７】
この場合、スロットフォーマット指示情報は、第３シンボル数指示情報、第３完全スロットフォーマット指示情報及び第１開始位置指示情報を含み、
ここで、第３シンボル数指示情報は上記のＮ（即ち、ターゲットの部分スロットに含まれるシンボル数である）を指示し、第３完全スロットフォーマット指示情報は、第３完全スロットに含まれる１４個のシンボルのアップリンクフォーマット及びダウンリンクフォーマット（即ち、第３完全スロットのフォーマット）を指示し、第１開始位置指示情報は、第３完全スロットでの上記の連続するＮ個のシンボルの最初のシンボルの位置を指示する。
【０１２８】
本発明の一実施例において、当該第３シンボル数指示情報の長さは４ビットであってもよく、第３完全スロットフォーマット指示情報の長さは８ビットであってもよく、第１開始位置指示情報の長さは４ビットであってもよい。
【０１２９】
例示的に、本発明の実施例において、当該第３シンボル数指示情報及び第１開始位置指示情報は、一緒に指示することができる。
【０１３０】
最初の方式において、第１完全スロットのフォーマット、第２完全スロットのフォーマット及び第３完全スロットのフォーマットの全ては、５Ｇ  ＮＲ通信システムで定義された５６種類の完全スロットフォーマットのうちの１つであってもよく、本発明の実施例は、これらに対して具体的に限定しないことに留意されたい。
【０１３１】
２番目の方式として、スロットフォーマット指示情報は、ターゲットフォーマット識別子を使用してターゲットの部分スロットのフォーマットを直接に指示することができる。
【０１３２】
この方式において、基地局及びＵＥは、両方とも、１つのスロットフォーマットテーブルを維持することができ、当該スロットフォーマットテーブルは、５Ｇ  ＮＲ通信システムによってプリセットされることができる。例えば、当該スロットフォーマットテーブルは、通信規格で規定されてもよく、または、当該スロットフォーマットテーブルは、基地局によって生成されてＵＥに送信されてもよい。
【０１３３】
当該スロットフォーマットテーブルには、フォーマット識別子とアップリンクフォーマット及びダウンリンクフォーマットシーケンスとの対応関係が少なくとも１グループ記憶されることができ、ここで、前記アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、当該ターゲットの正の整数セットは１４より小さい正の整数を少なくとも１つ含み、且つ、当該ターゲットの正の整数セットには上記のＮが存在する。
【０１３４】
例えば、Ｎは３であり得、当該ターゲットの正の整数セットは、３つの正の整数を含み得、それらは、それぞれ、２、３及び４（３はターゲットの正の整数セット内にある）であり、当該スロットフォーマットテーブルは表２に示す。
【０１３５】
【表２】
2021533639.tif 000005
【０１３６】
表２に示されたように、スロットフォーマットテーブルのアップリンクフォーマット及びダウンリンクフォーマットシーケンスは、２つのシンボルのアップリンクフォーマット及びダウンリンクフォーマット、３つのシンボルのアップリンクフォーマット及びダウンリンクフォーマットまたは４つのシンボルのアップリンクフォーマット及びダウンリンクフォーマットを含み得る。ここで、２、３及び４の全ては、ターゲットの正の整数セットに含まれた正の整数である。
【０１３７】
この方式において、前記スロットフォーマット指示情報はターゲットフォーマット識別子を含み得、ターゲットの部分スロットに含まれるＮ個のシンボルのアップリンクフォーマット及びダウンリンクフォーマットは、スロットフォーマットテーブルのうち、当該ターゲットフォーマット識別子に対応するターゲットのアップリンクフォーマット及びダウンリンクフォーマットシーケンスに含まれるＮ個のシンボルのアップリンクフォーマット及びダウンリンクフォーマットであり得る。
【０１３８】
例えば、スロットフォーマット指示情報はターゲットフォーマット識別子ａ１を含み得、表２に示されたスロットフォーマットテーブルで当該ターゲットフォーマット識別子ａ１に対応するターゲットのアップリンクフォーマット及びダウンリンクフォーマットシーケンスが「ＤＤＤ」である場合、ターゲットの部分スロットに含まれるＮ（３）個のシンボルのアップリンクフォーマット及びダウンリンクフォーマットは、それぞれ、（ダウンリックフォーマット）、Ｄ（ダウンリックフォーマット）及びＤ（ダウンリックフォーマット）であり得る。
【０１３９】
一可能な実施形態において、スロットフォーマットテーブルのアップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じである。
【０１４０】
ここで、第４完全スロットのフォーマットは、５Ｇ  ＮＲ通信システムで定義された５６種類の完全スロットフォーマットのうちの１つであってもよい。
【０１４１】
別の可能な実施形態において、スロットフォーマットテーブルのアップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なる。
【０１４２】
ここで、当該任意の完全スロットのフォーマットは、５Ｇ  ＮＲ通信システムで定義された５６種類の完全スロットフォーマットのうちの１つである。
【０１４３】
当該実施形態において、ターゲットフォーマット識別子に対応するターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成されることができ、ターゲットの部分スロットに含まれるＮ個のシンボルのアップリンクフォーマット及びダウンリンクフォーマットは、当該ターゲットのアップリンクフォーマット及びダウンリンクフォーマットシーケンス内の連続するＮ個のシンボルのアップリンクフォーマット及びダウンリンクフォーマットと同じである。
【０１４４】
例示的に、当該実施形態において、スロットフォーマット指示情報は、ターゲットフォーマット識別子を含む以外にも、第４シンボル数指示情報及び第２開始位置指示情報をさらに含むことができる。
【０１４５】
ここで、第４シンボル数指示情報は、上記のＮを指示し、第２開始位置指示情報は、ターゲットのアップリンクフォーマット及びダウンリンクフォーマットシーケンスに含まれるＲ個のシンボルでの上記の連続するＮ個のシンボルの最初のシンボル在の位置を指示する。
【０１４６】
ステップ５０３において、ＵＥが、基地局によって送信されたスロットフォーマット指示情報を受信する。
【０１４７】
まとめると、本発明の実施例で提供するスロットフォーマット指示方法は、基地局が、無認可スペクトル上にあるターゲットチャネルがアイドル状態にある場合、スロットフォーマット指示情報をＵＥに送信し、ここで、当該スロットフォーマット指示情報は、ターゲットの部分スロットに含まれるＮ個のシンボルのアップリンクフォーマット及びダウンリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのアップリンクフォーマット及びダウンリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【０１４８】
図６は、一例示的な実施例によって示されたスロットフォーマット指示装置６００のブロック図であり、当該スロットフォーマット指示装置６００は、図２に示された基地局１０に配置されることができる。図６を参照すると、当該スロットフォーマット指示装置６００は、送信モジュール６０１を備える。
【０１４９】
ここで、当該送信モジュール６０１は、ターゲットチャネルがアイドル状態にあることをセンシングした場合、スロットフォーマット指示情報を当該ターゲットチャネルを介してユーザ機器（ＵＥ）に送信するように構成される。
【０１５０】
当該スロットフォーマット指示情報は、ターゲットの部分スロットに含まれるＮ（Ｎは１４より小さい正の整数である）個のシンボルのアップリンクフォーマット及びダウンリンクフォーマットを指示し、当該ターゲットの部分スロットは、基地局が当該ターゲットチャネルを占有している期間内にあり、当該ターゲットチャネルは無認可スペクトル上に位置する。
【０１５１】
本発明の一実施例において、当該ターゲットの部分スロットは、当該基地局が当該ターゲットチャネルを占有している期間内の最初のスロットであり、当該スロットフォーマット指示情報は、当該ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示する。
【０１５２】
本発明の一実施例において、当該スロットフォーマット指示情報は、第１シンボル数指示情報および第１完全スロットフォーマット指示情報を含み、ここで、当該第１シンボル数指示情報は当該Ｎを指示し、当該第１完全スロットフォーマット指示情報は、当該第１完全スロットに含まれる１４個のシンボルのアップリンクフォーマット及びダウンリンクフォーマットを指示する。
【０１５３】
本発明の一実施例において、当該ターゲットの部分スロットは、当該基地局が当該ターゲットチャネルを占有している期間内の最後のスロットであり、当該スロットフォーマット指示情報は、当該ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示する。
【０１５４】
本発明の一実施例において、当該スロットフォーマット指示情報は、第２シンボル数指示情報および第２完全スロットフォーマット指示情報を含み、ここで、当該第２シンボル数指示情報は当該Ｎを指示し、当該第２完全スロットフォーマット指示情報は、当該第２完全スロットに含まれる１４個のシンボルのアップリンクフォーマット及びダウンリンクフォーマットを指示する。
【０１５５】
本発明の一実施例において、当該スロットフォーマット指示情報は、当該ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示する。
【０１５６】
本発明の一実施例において、当該スロットフォーマット指示情報は、第３シンボル数指示情報、第３完全スロットフォーマット指示情報および第１開始位置指示情報を含み、ここで、当該第３シンボル数指示情報は当該Ｎを指示し、当該第３完全スロットフォーマット指示情報は当該第３完全スロットに含まれる１４個のシンボルのアップリンクフォーマット及びダウンリンクフォーマットを指示し、当該第３完全スロットでの当該第１開始位置指示情報は当該連続するＮ個のシンボルの最初のシンボルの位置を指示する。
【０１５７】
本発明の一実施例において、当該スロットフォーマット指示情報はターゲットフォーマット識別子を含み、当該ターゲットの部分スロットに含まれるＮ個のシンボルのアップリンクフォーマット及びダウンリンクフォーマットは、スロットフォーマットテーブルで当該ターゲットフォーマット識別子に対応するターゲットのアップリンクフォーマット及びダウンリンクフォーマットシーケンスに含まれるＮ個のシンボルのアップリンクフォーマット及びダウンリンクフォーマットであり、ここで、当該スロットフォーマットテーブルには、フォーマット識別子とアップリンクフォーマット及びダウンリンクフォーマットシーケンスとの対応関係が少なくとも１グループ記憶されることができ、当該アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、当該ターゲットの正の整数セットは１４より小さい正の整数を少なくとも１つ含み、当該ターゲットの正の整数セットには当該Ｎが存在する。
【０１５８】
本発明の一実施例において、当該アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じである。
【０１５９】
本発明の一実施例において、当該アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なる。
【０１６０】
本発明の一実施例において、当該ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、当該ターゲットの部分スロットに含まれるＮ個のシンボルのアップリンクフォーマット及びダウンリンクフォーマットは、当該ターゲットのアップリンクフォーマット及びダウンリンクフォーマットシーケンス内の連続するＮ個のシンボルのアップリンクフォーマット及びダウンリンクフォーマットと同じである。
【０１６１】
本発明の一実施例において、当該スロットフォーマット指示情報は、第４シンボル数指示情報及び第２開始位置指示情報をさらに含み、当該第４シンボル数指示情報は当該Ｎを指示し、当該第２開始位置指示情報は、当該Ｒ個のシンボルでの当該連続するＮ個のシンボルの最初のシンボルの位置を指示する。
【０１６２】
本発明の一実施例において、当該送信モジュール６０１は、具体的に、ターゲットダウンリンク制御情報（ＤＣＩ）を当該ターゲットチャネルを介して当該ＵＥに送信するように構成され、ここで、ターゲットＤＣＩは当該スロットフォーマット指示情報を搬送する。
【０１６３】
まとめると、本発明の実施例で提供するスロットフォーマット指示装置は、無認可スペクトル上にあるターゲットチャネルがアイドル状態にある場合、スロットフォーマット指示情報をＵＥに送信し、ここで、当該スロットフォーマット指示情報は、ターゲットの部分スロットに含まれるＮ個のシンボルのアップリンクフォーマット及びダウンリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのアップリンクフォーマット及びダウンリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【０１６４】
上述の実施例の装置に関して、ここで、各モジュールが動作を実行する具体的な方法は、既に、前記方法に関する実施例で詳細に説明されており、ここでは詳細に説明しない。
【０１６５】
図７は、一例示的な実施例によって示されたスロットフォーマット指示装置７００のブロック図であり、当該スロットフォーマット指示装置７００は、図２に示されたＵＥ２０に配置されることができる。図７を参照すると、当該スロットフォーマット指示装置７００は、受信モジュール７０１を備える。
【０１６６】
ここで、受信モジュール７０１は、基地局によってターゲットチャネルを介して送信されたスロットフォーマット指示情報を受信するように構成される。
【０１６７】
当該スロットフォーマット指示情報は、ターゲットの部分スロットに含まれるＮ（Ｎは１４より小さい正の整数である）個のシンボルのアップリンクフォーマット及びダウンリンクフォーマットを指示し、当該スロットフォーマット指示情報は、当該基地局が、当該ターゲットチャネルがアイドル状態にあることをセンシングした時に送信され、当該ターゲットの部分スロットは、当該基地局が当該ターゲットチャネルを占有している期間内にあり、当該ターゲットチャネルは無認可スペクトル上に位置する。
【０１６８】
本発明の一実施例において、当該ターゲットの部分スロットは、当該基地局が当該ターゲットチャネルを占有している期間内の最初のスロットであり、当該スロットフォーマット指示情報は、当該ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示する。
【０１６９】
本発明の一実施例において、当該スロットフォーマット指示情報は、第１シンボル数指示情報および第１完全スロットフォーマット指示情報を含み、ここで、当該第１シンボル数指示情報は当該Ｎを指示し、当該第１完全スロットフォーマット指示情報は、当該第１完全スロットに含まれる１４個のシンボルのアップリンクフォーマット及びダウンリンクフォーマットを指示する。
【０１７０】
本発明の一実施例において、当該ターゲットの部分スロットは、当該基地局が当該ターゲットチャネルを占有している期間内の最後のスロットであり、当該スロットフォーマット指示情報は、当該ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示する。
【０１７１】
本発明の一実施例において、当該スロットフォーマット指示情報は、第２シンボル数指示情報および第２完全スロットフォーマット指示情報を含み、ここで、当該第２シンボル数指示情報は当該Ｎを指示し、当該第２完全スロットフォーマット指示情報は、当該第２完全スロットに含まれる１４個のシンボルのアップリンクフォーマット及びダウンリンクフォーマットを指示する。
【０１７２】
本発明の一実施例において、当該スロットフォーマット指示情報は、当該ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示する。
【０１７３】
本発明の一実施例において、当該スロットフォーマット指示情報は、第３シンボル数指示情報、第３完全スロットフォーマット指示情報および第１開始位置指示情報を含み、ここで、当該第３シンボル数指示情報は当該Ｎを指示し、当該第３完全スロットフォーマット指示情報は当該第３完全スロットに含まれる１４個のシンボルのアップリンクフォーマット及びダウンリンクフォーマットを指示し、当該第３完全スロットでの当該第１開始位置指示情報は当該連続するＮ個のシンボルの最初のシンボルの位置を指示する。
【０１７４】
本発明の一実施例において、当該スロットフォーマット指示情報はターゲットフォーマット識別子を含み、当該ターゲットの部分スロットに含まれるＮ個のシンボルのアップリンクフォーマット及びダウンリンクフォーマットは、スロットフォーマットテーブルで当該ターゲットフォーマット識別子に対応するターゲットのアップリンクフォーマット及びダウンリンクフォーマットシーケンスに含まれるＮ個のシンボルのアップリンクフォーマット及びダウンリンクフォーマットであり、ここで、当該スロットフォーマットテーブルには、フォーマット識別子とアップリンクフォーマット及びダウンリンクフォーマットシーケンスとの対応関係が少なくとも１グループ記憶されることができ、当該アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、当該ターゲットの正の整数セットは１４より小さい正の整数を少なくとも１つ含み、当該ターゲットの正の整数セットには当該Ｎが存在する。
【０１７５】
本発明の一実施例において、当該アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じである。
【０１７６】
本発明の一実施例において、当該アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なる。
【０１７７】
本発明の一実施例において、当該ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、当該ターゲットの部分スロットに含まれるＮ個のシンボルのアップリンクフォーマット及びダウンリンクフォーマットは、当該ターゲットのアップリンクフォーマット及びダウンリンクフォーマットシーケンス内の連続するＮ個のシンボルのアップリンクフォーマット及びダウンリンクフォーマットと同じである。
【０１７８】
本発明の一実施例において、当該スロットフォーマット指示情報は、第４シンボル数指示情報及び第２開始位置指示情報をさらに含み、当該第４シンボル数指示情報は当該Ｎを指示し、当該第２開始位置指示情報は、当該Ｒ個のシンボルでの当該連続するＮ個のシンボルの最初のシンボルの位置を指示する。
【０１７９】
本発明の一実施例において、当該受信モジュール７０１は、具体的に、当該ターゲットチャネルを介して当該基地局によって送信されたターゲットダウンリンク制御情報（ＤＣＩ）を受信するように構成され、ここで、ターゲットＤＣＩは当該スロットフォーマット指示情報を搬送する。
【０１８０】
まとめると、本発明の実施例で提供するスロットフォーマット指示装置は、基地局がターゲットチャネルを使用して送信したスロットフォーマット指示情報を受信し、ここで、当該スロットフォーマット指示情報は、ターゲットの部分スロットに含まれるＮ個のシンボルのアップリンクフォーマット及びダウンリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのアップリンクフォーマット及びダウンリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【０１８１】
上述の実施例の装置に関して、ここで、各モジュールが動作を実行する具体的な方法は、既に、前記方法に関する実施例で詳細に説明されており、ここでは詳細に説明しない。
【０１８２】
図８は、一例示的な実施例によって示されたスロットフォーマット指示装置８００のブロック図である。例えば、スロットフォーマット指示装置８００は、携帯電話、コンピュータ、デジタル放送端末、メッセージングデバイス、ゲームコンソール、タブレットデバイス、医療機器、フィットネス機器、携帯情報端末等であってもよい。
【０１８３】
図８を参照すると、装置８００は、処理コンポーネント８０２、メモリ８０４、電力コンポーネント８０６、マルチメディアコンポーネント８０８、オーディオコンポーネント８１０、入力／出力（Ｉ／Ｏ）インターフェース８１２、センサコンポーネント８１４、及び通信コンポーネント８１６のうちの１つまたは複数のコンポーネットを備えることができる。
【０１８４】
処理コンポーネント８０２は、一般的に、ディスプレイ、電話の呼び出し、データ通信、カメラ操作及び記録操作に関する操作のような装置８００の全般的な操作を制御する。処理コンポーネント８０２は、上記の方法の実施例ののうち、ＵＥによって実行されるステップのすべてまたは一部を完了するために、１つまたは複数のプロセッサ８２０を備えて命令を実行することができる。加えて、処理コンポーネント８０２は、処理コンポーネント８０２と他のコンポーネントの間の相互作用を容易にするために、１つまたは複数のモジュールを備えることができる。例えば、処理コンポーネント８０２は、マルチメディアコンポーネント８０８と処理コンポーネント８０２との間の相互作用を容易にするために、マルチメディアモジュールを備えることができる。
【０１８５】
メモリ８０４は、装置８００での操作をサポートするために、様々なタイプのデータを格納するように構成される。これらのデータの例には、装置８００で動作する任意のアプリケーションまたは方法の命令、連絡先データ、電話帳データ、メッセージ、写真、ビデオ等が含まれる。メモリ８０４は、スタティックランダムアクセスメモリ（ＳＲＡＭ）、電気的に消去可能なプログラム可能な読み取り専用メモリ（ＥＥＰＲＯＭ）、消去可能なプログラム可能な読み取り専用メモリ（ＥＰＲＯＭ）、プログラム可能な読み取り専用メモリ（ＰＲＯＭ）、磁気メモリ、フラッシュメモリ、磁気ディスクまたは光ディスクなど、あらゆるタイプの揮発性または不揮発性ストレージデバイスまたはそれらの組み合わせによって実現されることができる。
【０１８６】
電力コンポーネント８０６は、装置８００の様々なコンポーネントに電力を提供する。電力コンポーネント８０６は、電力管理システム、１つまたは複数の電源、及び装置８００の電力の生成、管理および分配に関する他のコンポーネントを備えることができる。
【０１８７】
マルチメディアコンポーネント８０８は、前記バッテリの充電装置８００とユーザとの間の、出力インターフェースを提供するスクリーンを備える。いくつかの実施例において、スクリーンは、液晶ディスプレイ（ＬＣＤ）及びタッチパネル（ＴＰ）を備えることができる。スクリーンがタッチパネルを備える場合、スクリーンは、ユーザからの入力信号を受信するためのタッチスクリーンとして実装されることができる。タッチパネルは、タッチ、スワイプ及びタッチパネルでのジェスチャーを検知するための１つまたは複数のタッチセンサを備える。前記タッチセンサは、タッチまたはスワイプの操作の境界を感知するだけでなく、前記タッチまたはスワイプ動作に関連する持続時間及び圧力も検出することができる。いくつかの実施例において、マルチメディアコンポーネント８０８は、１つのフロントカメラおよび／またはリアカメラを備える。装置８００が撮影モードまたはビデオモードなどの動作モードにあるとき、フロントカメラおよび／またはリアカメラは、外部のマルチメディアデータを受信することができる。各フロントカメラ及びリアカメラは、固定された光学レンズシステムであり、または焦点距離と光学ズーム機能を持つことができる。
【０１８８】
オーディオコンポーネント８１０は、オーディオ信号を出力および／または入力するように構成される。例えば、オーディオコンポーネント８１０は、１つのマイクロフォン（ＭＩＣ）を備え、装置８００が通話モード、録音モード及び音声認識モードなどの動作モードにあるとき、マイクロフォンは、外部オーディオ信号を受信するように構成される。受信されたオーディオ信号は、メモリ８０４にさらに記憶されてもよく、または通信コンポーネント８１６を介して送信されてもよい。  いくつかの実施例において、オーディオコンポーネント８１０は、オーディオ信号を出力するためのスピーカをさらに備える。
【０１８９】
Ｉ／Ｏインターフェース８１２は、処理コンポーネント８０２と周辺インターフェースモジュールとの間にインターフェースを提供し、前記周辺インターフェースモジュールは、キーボード、クリックホイール、ボタンなどであってもよい。これらのボタンは、ホームボタン、ボリュームボタン、スタートボタン、ロックボタンを備えることができるが、これらに限定されない。
【０１９０】
センサコンポーネント８１４は、装置８００に各態様の状態の評価を提供するための１つまたは複数のセンサを備える。例えば、センサコンポーネント８１４は、機器８００のオン／オフ状態と、装置８００のディスプレイやキーパッドなどのコンポーネントの相対的な位置づけを検出することができ、センサコンポーネント８１４は、装置８００または装置８００のコンポーネントの位置の変化、ユーザとの装置８００の接触の有無、装置８００の向きまたは加速／減速、及び装置８００の温度の変化も検出することができる。センサコンポ―ネット８１４は、物理的接触なしに近くの物体の存在を検出するように構成された近接センサを備えることができる。センサコンポーネント８１４は、撮像用途で使用するためのＣＭＯＳまたはＣＣＤ画像センサなどの光センサをさらに備えることができる。いくつかの実施例において、当該センサコンポーネント８１４は、加速度センサ、ジャイロスコープセンサ、磁気センサ、圧力センサまたは温度センサをさらに備えることができる。
通信コンポーネント８１６は、装置８００と他の装置の間の有線または無線通信を容易にするように構成される。装置８００は、ＷｉＦｉ、２Ｇまたは３Ｇ、またはそれらの組み合わせなどの通信規格に基づく無線ネットワークにアクセスすることができる。一例示的な実施例において、前記通信コンポーネント８１６は、放送チャンネルを介して外部放送管理システムからの放送信号または放送関連情報を受信する。一例示的な実施例において、前記通信コンポーネント８１６は、短距離通信を促進するために、近距離通信（ＮＦＣ）モジュールをさらに備える。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて具現することができる。
【０１９１】
例示的な実施例において、装置８００は、上記の方法の実施例のうちＵＥによって実行される技術的プロセスを実行するように構成される、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子によって具現されることができる。
【０１９２】
例示的な実施例において、命令を含むメモリ８０４などの、命令を含む非一時的なコンピュータ読み取り可能な記憶媒体をさらに提供し、前記命令は、装置８００のプロセッサ８２０によって実行されて上記の方法の実施例のうちＵＥによって実行される技術的プロセスを完了することができる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピー（登録商標）ディスクおよび光学データ記憶装置などであってもよい。
【０１９３】
図９は、一例示的な実施例によって示されたスロットフォーマット指示装置９００のブロック図である。例えば、スロットフォーマット指示装置９００は基地局であってもよい。図９に示されたように、スロットフォーマット指示装置９００は、プロセッサ９０１、受信機９０２、送信機９０３及びメモリ９０４を備える。受信機９０２、送信機９０３及びメモリ９０４は、それぞれ、バスを介してプロセッサ９０１に接続する。
【０１９４】
ここで、プロセッサ９０１は１つまたは１つ以上の処理コアを備え、プロセッサ９０１は、ソフトウェアプログラム及びモジュールを実行することにより、本発明の実施例で提供するスロットフォーマット指示方法のうち、基地局によって実行される方法を実行する。メモリ９０４は、ソフトウェアプログラム及びモジュールを記憶するように構成される。具体的に、メモリ９０４は、操作システム９０４１、少なくとも１つの機能によって必要とされるアプリケーションプログラムモジュール９０４２を記憶することができる。受信機９０２は、他の機器によって送信された通信データを受信するように構成され、送信機９０３は、通信データを他の機器に送信するように構成される。
【０１９５】
図１０は、一例示的な実施例によって示されたスロットフォーマット指示システム１０００的ブロック図であり、図１０に示されたように、当該スロットフォーマット指示システム１０００は基地局１００１及びＵＥ１００２を備える。
【０１９６】
ここで、基地局１００１は、図５に示された実施例の基地局によって実行されるスロットフォーマット指示方法を実行するように構成される。
【０１９７】
ＵＥ１００２は、図５に示された実施例のＵＥによって実行されるスロットフォーマット指示方法を実行するように構成される。
【０１９８】
例示的な実施例では、コンピュータ可読記憶媒体をさらに提供し、当該コンピュータ可読記憶媒体は、不揮発性コンピュータ可読記憶媒体であり、当該コンピュータ可読記憶媒体にはコンピュータプログラムが記憶され、記憶されたコンピュータプログラムが処理コンポーネントによって実行される場合、本発明の上記の実施例で提供するスロットフォーマット指示方法を実現することができる。
【０１９９】
本発明の実施例は、コンピュータプログラム製品をさらに提供し、当該コンピュータプログラム製品には命令が記憶され、それがコンピュータによって実行される時に、コンピュータが、本発明の実施例で提供するスロットフォーマット指示方法を実行することができるようにする。
【０２００】
本発明の実施例はチップをさらに提供し、当該チップは、プログラム可能な論理回路及び／又はプログラム命令を備え、当該チップが実行される時に、本発明の実施例で提供するスロットフォーマット指示方法を実行することができる。
【０２０１】
当業者は、明細書を考慮して、本明細書に開示された発明を実施した後に、本発明の他の実施形態を容易に想到し得るであろう。本願は、本発明のあらゆる変形、応用または適応性変化を網羅することを意図し、これらの変形、応用または適応性変化は、本発明の普通の原理に準拠し、本発明によって開示されない本技術分野における公知知識または従来の技術的手段を含む。明細書と実施例は、例示としてのみ考慮され、本発明の真の範囲および思想は添付の特許請求の範囲によって示される。
【０２０２】
本発明は、上記に既に説明し且つ図面に示した正確な構造に限定されるものではなく、その範囲から逸脱することなく様々な修正及び変更を行うことができることを理解されたい。本発明の範囲は、添付の特許請求の範囲によってのみ制限される。
【図１】
2021533639.tif 000006
【図２】
2021533639.tif 000007
【図３】
2021533639.tif 000008
【図４】
2021533639.tif 000009
【図５】
2021533639.tif 000010
【図６】
2021533639.tif 000011
【図７】
2021533639.tif 000012
【図８】
2021533639.tif 000013
【図９】
2021533639.tif 000014
【図１０】
2021533639.tif 000015
【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
スロットフォーマット指示方法であって、
ターゲットチャネルがアイドル状態にあることをセンシングした場合、スロットフォーマット指示情報を前記ターゲットチャネルを介してユーザ機器（ＵＥ）に送信することであって、前記スロットフォーマット指示情報は、ターゲットの部分スロットに含まれるＮ（Ｎは１４より小さい正の整数である）個のシンボルのリンクフォーマットを指示することを含み、
前記ターゲットの部分スロットは、基地局が前記ターゲットチャネルを占有している期間内にあり、前記ターゲットチャネルは無認可スペクトル上に位置することを特徴とする、前記スロットフォーマット指示方法。
【請求項２】
前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのリンクフォーマットが、第２完全スロットに含まれる１４個のシンボルのうちの最初のＮ個のシンボルのリンクフォーマットと同じであることを指示することを特徴とする、
請求項１に記載のスロットフォーマット指示方法。
【請求項３】
前記スロットフォーマット指示情報は、第２シンボル数指示情報及び第２完全スロットフォーマット指示情報を含み、
前記第２シンボル数指示情報は前記Ｎを指示し、前記第２完全スロットフォーマット指示情報は、前記第２完全スロットに含まれる１４個のシンボルのリンクフォーマットを指示することを特徴とする、
請求項２に記載のスロットフォーマット指示方法。
【請求項４】
前記スロットフォーマット指示情報は、前記ターゲットの部分スロットに含まれるＮ個のシンボルのリンクフォーマットが、第３完全スロットに含まれる１４個のシンボルのうちの連続するＮ個のシンボルのリンクフォーマットと同じであることを指示することを特徴とする、
請求項１に記載のスロットフォーマット指示方法。
【請求項５】
前記スロットフォーマット指示情報はターゲットフォーマット識別子を含み、前記ターゲットの部分スロットに含まれるＮ個のシンボルのリンクフォーマットは、スロットフォーマットテーブルのうち、前記ターゲットフォーマット識別子に対応するターゲットのリンクフォーマットシーケンスに含まれるＮ個のシンボルのリンクフォーマットであり、
前記スロットフォーマットテーブルには、フォーマット識別子とリンクフォーマットシーケンスとの少なくとも１の対応関係が記憶され、前記リンクフォーマットシーケンスは、Ｍ（Ｍはターゲットの正の整数セット内の正の整数である）個のシンボルのリンクフォーマットを含み、前記ターゲットの正の整数セットは１４より小さい正の整数を少なくとも１つ含み、前記ターゲットの正の整数セットには前記Ｎが存在することを特徴とする、
請求項１に記載のスロットフォーマット指示方法。
【請求項６】
前記リンクフォーマットシーケンスに含まれるＭ個のシンボルのリンクフォーマットは、第４完全スロットに含まれる１４個のシンボルのうちの連続するＭ個のシンボルのリンクフォーマットと同じであることを特徴とする、
請求項５に記載のスロットフォーマット指示方法。
【請求項７】
前記リンクフォーマットシーケンスに含まれるＭ個のシンボルのリンクフォーマットは、いずれも任意の完全スロット内の任意の連続するＭ個のシンボルのリンクフォーマットと異なることを特徴とする、
請求項５に記載のスロットフォーマット指示方法。
【請求項８】
前記ターゲットのリンクフォーマットシーケンスは、Ｒ（Ｒは、Ｎより大きく且つ１４より小さい正の整数である）個のシンボルのリンクフォーマットで構成され、前記ターゲットの部分スロットに含まれるＮ個のシンボルのリンクフォーマットは、前記ターゲットのリンクフォーマットシーケンス内の連続するＮ個のシンボルのリンクフォーマットと同じであることを特徴とする、
請求項７に記載のスロットフォーマット指示方法。
【請求項９】
前記スロットフォーマット指示情報を前記ターゲットチャネルを介してユーザ機器（ＵＥ）に送信することは、
ターゲットダウンリンク制御情報（ＤＣＩ）を前記ターゲットチャネルを介して前記ＵＥに送信することを含み、前記ターゲットＤＣＩは前記スロットフォーマット指示情報を搬送することを特徴とする、
請求項１に記載のスロットフォーマット指示方法。
【請求項１０】
スロットフォーマット指示方法であって、
基地局によってターゲットチャネルを介して送信されたスロットフォーマット指示情報を受信することであって、前記スロットフォーマット指示情報は、ターゲットの部分スロットに含まれるＮ（Ｎは１４より小さい正の整数である）個のシンボルのリンクフォーマットを指示することを含み、
前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置することを特徴とする、前記スロットフォーマット指示方法。
【請求項１１】
前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのリンクフォーマットが、第２完全スロットに含まれる１４個のシンボルのうちの最初のＮ個のシンボルのリンクフォーマットと同じであることを指示することを特徴とする、
請求項１０に記載のスロットフォーマット指示方法。
【請求項１２】
前記スロットフォーマット指示情報は、第２シンボル数指示情報及び第２完全スロットフォーマット指示情報を含み、
前記第２シンボル数指示情報は前記Ｎを指示し、前記第２完全スロットフォーマット指示情報は、前記第２完全スロットに含まれる１４個のシンボルのリンクフォーマットを指示することを特徴とする、
請求項１１に記載のスロットフォーマット指示方法。
【請求項１３】
前記スロットフォーマット指示情報は、前記ターゲットの部分スロットに含まれるＮ個のシンボルのリンクフォーマットが、第３完全スロットに含まれる１４個のシンボルのうちの連続するＮ個のシンボルのリンクフォーマットと同じであることを指示することを特徴とする、
請求項１０に記載のスロットフォーマット指示方法。
【請求項１４】
前記スロットフォーマット指示情報はターゲットフォーマット識別子を含み、前記ターゲットの部分スロットに含まれるＮ個のシンボルのリンクフォーマットは、スロットフォーマットテーブルのうち、前記ターゲットフォーマット識別子に対応するターゲットのリンクフォーマットシーケンスに含まれるＮ個のシンボルのリンクフォーマットであり、
前記スロットフォーマットテーブルには、フォーマット識別子とリンクフォーマットシーケンスとの少なくとも１の対応関係が記憶され、前記リンクフォーマットシーケンスは、Ｍ（Ｍはターゲットの正の整数セット内の正の整数である）個のシンボルのリンクフォーマットを含み、前記ターゲットの正の整数セットは１４より小さい正の整数を少なくとも１つ含み、前記ターゲットの正の整数セットには前記Ｎが存在することを特徴とする、
請求項１０に記載のスロットフォーマット指示方法。
【請求項１５】
前記リンクフォーマットシーケンスに含まれるＭ個のシンボルのリンクフォーマットは、第４完全スロットに含まれる１４個のシンボルのうちの連続するＭ個のシンボルのリンクフォーマットと同じであることを特徴とする、
請求項１４に記載のスロットフォーマット指示方法。
【請求項１６】
前記リンクフォーマットシーケンスに含まれるＭ個のシンボルのリンクフォーマットは、いずれも任意の完全スロット内の任意の連続するＭ個のシンボルのリンクフォーマットと異なることを特徴とする、
請求項１４に記載のスロットフォーマット指示方法。
【請求項１７】
前記ターゲットのリンクフォーマットシーケンスは、Ｒ（Ｒは、Ｎより大きく且つ１４より小さい正の整数である）個のシンボルのリンクフォーマットで構成され、前記ターゲットの部分スロットに含まれるＮ個のシンボルのリンクフォーマットは、前記ターゲットのリンクフォーマットシーケンス内の連続するＮ個のシンボルのリンクフォーマットと同じであることを特徴とする、
請求項１６に記載のスロットフォーマット指示方法。
【請求項１８】
前記基地局によってターゲットチャネルを介して送信されたスロットフォーマット指示情報を受信することは、
前記基地局によって前記ターゲットチャネルを介して送信されたダウンリンク制御情報（ＤＣＩ）を受信することを含み、ＤＣＩは前記スロットフォーマット指示情報を搬送することを特徴とする、
請求項１０に記載のスロットフォーマット指示方法。
【請求項１９】
基地局であって、
プロセッサと、
プロセッサ実行可能命令を記憶するように構成されるメモリとを備え、
前記プロセッサは、
ターゲットチャネルがアイドル状態にあることをセンシングした場合、スロットフォーマット指示情報を前記ターゲットチャネルを介してユーザ機器（ＵＥ）に送信するように構成され、前記スロットフォーマット指示情報は、ターゲットの部分スロットに含まれるＮ（Ｎは１４より小さい正の整数である）個のシンボルのリンクフォーマットを指示し、
前記ターゲットの部分スロットは、基地局が前記ターゲットチャネルを占有している期間内にあり、前記ターゲットチャネルは無認可スペクトル上に位置することを特徴とする、前記基地局。
【請求項２０】
ユーザ機器であって、
プロセッサと、
プロセッサ実行可能命令を記憶するように構成されるメモリとを備え、
前記プロセッサは、
基地局によってターゲットチャネルを介して送信されたスロットフォーマット指示情報を受信するように構成され、前記スロットフォーマット指示情報は、ターゲットの部分スロットに含まれるＮ（Ｎは１４より小さい正の整数である）個のシンボルのリンクフォーマットを指示し、
前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置することを特徴とする、前記ユーザ機器。
【手続補正２】
【補正対象書類名】明細書
【補正対象項目名】全文
【補正方法】変更
【補正の内容】
【発明の詳細な説明】
【技術分野】
【０００１】
本発明は、無線通信の技術分野に関し、特に、スロットフォーマット指示方法、装置、機器、システム及び記憶媒体に関する。
【背景技術】
【０００２】
無線通信技術の開発に伴い、ますます多くの通信システムが、無認可スペクトル上のチャネルを介して通信データの伝送を実行することができるようになっている。無認可スペクトル上では複数の通信システムが動作することができるため、複数の通信システム間の公平性を考慮すると、無認可スペクトル上の基地局の通信は、通常、リッスンビフォートーク（ＬＢＴ：Ｌｉｓｔｅｎ  Ｂｅｆｏｒｅ  Ｔａｌｋ）メカニズムを採用する。即ち、基地局は、通信データを送信する前に、先ず無認可スペクトル上のチャネルをセンシングし、チャネルがアイドル状態であるとセンシングした場合のみ、当該無認可スペクトル上のチャネルを占有して通信データを送信する。
【０００３】
実際の応用では、基地局が無認可スペクトル上のチャネルの占有を開始する時刻は、特定の完全スロットの中央位置にある可能がある。即ち、基地局が無認可スペクトル上のチャネルを占有している期間内に、部分スロット（ｐａｒｔｉａｌ  ｓｌｏｔ）が存在する可能性があり、いわゆる部分スロットとは、完全スロットに対する概念であり、ここで、１つの完全スロットに含まれるシンボル（ｓｙｍｂｏｌ）の数は１４個であり、部分スロットに含まれるシンボルの数は１４個より小さい。
【０００４】
部分スロットは基地局とユーザ機器（ＵＥ：Ｕｓｅｒ  Ｅｑｕｉｐｍｅｎｔ）間の正常の通信に悪影響を与える可能性があるため、現在、基地局とＵＥ間の正常の通信に対する部分スロットの悪影響を低減させる方法が緊急に必要とされている。
【発明の概要】
【発明が解決しようとする課題】
【０００５】
本発明の実施例は、基地局とＵＥ間の正常の通信に対する部分スロットの悪影響を低減させることができる、スロットフォーマット指示方法、装置、機器、システム及び記憶媒体を提供する。
【課題を解決するための手段】
【０００６】
本発明の実施例の第１態様によれば、スロットフォーマット指示方法を提供し、前記方法は、
ターゲットチャネルがアイドル状態にあることをセンシングした場合、スロットフォーマット指示情報を前記ターゲットチャネルを介してユーザ機器（ＵＥ）に送信することであって、前記スロットフォーマット指示情報は、ターゲットの部分スロットに含まれるＮ（Ｎは１４より小さい正の整数である）個のシンボルのリンクフォーマットを指示することを含み、
ここで、前記ターゲットの部分スロットは、基地局が前記ターゲットチャネルを占有している期間内にあり、前記ターゲットチャネルは無認可スペクトル上に位置する。
【０００７】
例示的に、前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのリンクフォーマットが、第１完全スロットに含まれる１４個のシンボルのうちの最後のＮ個のシンボルのリンクフォーマットと同じであることを指示する。
【０００８】
例示的に、前記スロットフォーマット指示情報は、第１シンボル数指示情報および第１完全スロットフォーマット指示情報を含み、
ここで、前記第１シンボル数指示情報は前記Ｎを指示し、前記第１完全スロットフォーマット指示情報は前記第１完全スロットに含まれる１４個のシンボルのリンクフォーマットを指示する。
【０００９】
例示的に、前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのリンクフォーマットが、第２完全スロットに含まれる１４個のシンボルのうちの最初のＮ個のシンボルのリンクフォーマットと同じであることを指示する。
【００１０】
例示的に、前記スロットフォーマット指示情報は、第２シンボル数指示情報及び第２完全スロットフォーマット指示情報を含み、
ここで、前記第２シンボル数指示情報は前記Ｎを指示し、前記第２完全スロットフォーマット指示情報は、前記第２完全スロットに含まれる１４個のシンボルのリンクフォーマットを指示する。
【００１１】
例示的に、前記スロットフォーマット指示情報は、前記ターゲットの部分スロットに含まれるＮ個のシンボルのリンクフォーマットが、第３完全スロットに含まれる１４個のシンボルのうちの連続するＮ個のシンボルのリンクフォーマットと同じであることを指示する。
【００１２】
例示的に、前記スロットフォーマット指示情報は、第３シンボル数指示情報、第３完全スロットフォーマット指示情報および第１開始位置指示情報を含み、
ここで、前記第３シンボル数指示情報は前記Ｎを指示し、前記第３完全スロットフォーマット指示情報は、前記第３完全スロットに含まれる１４個のシンボルのリンクフォーマットを指示し、前記第１開始位置指示情報は、前記第３完全スロットでの前記連続するＮ個のシンボルの最初のシンボルの位置を指示する。
【００１３】
例示的に、前記スロットフォーマット指示情報はターゲットフォーマット識別子を含み、前記ターゲットの部分スロットに含まれるＮ個のシンボルのリンクフォーマットは、スロットフォーマットテーブルのうち、前記ターゲットフォーマット識別子に対応するターゲットのリンクフォーマットシーケンスに含まれるＮ個のシンボルのリンクフォーマットである。
【００１４】
前記スロットフォーマットテーブルには、フォーマット識別子とリンクフォーマットシーケンスとの対応関係が少なくとも１グループ記憶され、前記リンクフォーマットシーケンスは、Ｍ（Ｍはターゲットの正の整数セット内の正の整数である）個のシンボルのリンクフォーマットを含み、前記ターゲットの正の整数セットは１４より小さい正の整数を少なくとも１つ含み、前記ターゲットの正の整数セットには前記Ｎが存在する。
【００１５】
例示的に、前記リンクフォーマットシーケンスに含まれるＭ個のシンボルのリンクフォーマットは、第４完全スロットに含まれる１４個のシンボルのうちの連続するＭ個のシンボルのリンクフォーマットと同じである。
【００１６】
例示的に、前記リンクフォーマットシーケンスに含まれるＭ個のシンボルのリンクフォーマットは、いずれも任意の完全スロット内の任意の連続するＭ個のシンボルのリンクフォーマットと異なる。
【００１７】
例示的に、前記ターゲットのリンクフォーマットシーケンスは、Ｒ（Ｒは、Ｎより大きく且つ１４より小さい正の整数である）個のシンボルのリンクフォーマットで構成され、前記ターゲットの部分スロットに含まれるＮ個のシンボルのリンクフォーマットは、前記ターゲットのリンクフォーマットシーケンス内の連続するＮ個のシンボルのリンクフォーマットと同じである。
【００１８】
例示的に、前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示する。
【００１９】
例示的に、前記スロットフォーマット指示情報を前記ターゲットチャネルを介してユーザ機器（ＵＥ）に送信することは、
ターゲットダウンリンク制御情報（ＤＣＩ）を前記ターゲットチャネルを介して前記ＵＥに送信することを含み、ここで、ターゲットＤＣＩは前記スロットフォーマット指示情報を搬送する。
【００２０】
本発明の実施例の第２態様によれば、スロットフォーマット指示方法を提供し、前記方法は、
基地局によってターゲットチャネルを介して送信されたスロットフォーマット指示情報を受信することであって、前記スロットフォーマット指示情報は、ターゲットの部分スロットに含まれるＮ（Ｎは１４より小さい正の整数である）個のシンボルのリンクフォーマットを指示することを含み、
ここで、前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置する。
【００２１】
例示的に、前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのリンクフォーマットが、第１完全スロットに含まれる１４個のシンボルのうちの最後のＮ個のシンボルのリンクフォーマットと同じであることを指示する。
【００２２】
例示的に、前記スロットフォーマット指示情報は、第１シンボル数指示情報および第１完全スロットフォーマット指示情報を含み、
ここで、前記第１シンボル数指示情報は前記Ｎを指示し、前記第１完全スロットフォーマット指示情報は前記第１完全スロットに含まれる１４個のシンボルのリンクフォーマットを指示する。
【００２３】
例示的に、前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのリンクフォーマットが、第２完全スロットに含まれる１４個のシンボルのうちの最初のＮ個のシンボルのリンクフォーマットと同じであることを指示する。
【００２４】
例示的に、前記スロットフォーマット指示情報は、第２シンボル数指示情報及び第２完全スロットフォーマット指示情報を含み、
前記第２シンボル数指示情報は前記Ｎを指示し、前記第２完全スロットフォーマット指示情報は、前記第２完全スロットに含まれる１４個のシンボルのリンクフォーマットを指示する。
【００２５】
例示的に、前記スロットフォーマット指示情報は、前記ターゲットの部分スロットに含まれるＮ個のシンボルのリンクフォーマットが、第３完全スロットに含まれる１４個のシンボルのうちの連続するＮ個のシンボルのリンクフォーマットと同じであることを指示する。
【００２６】
例示的に、前記スロットフォーマット指示情報は、第３シンボル数指示情報、第３完全スロットフォーマット指示情報および第１開始位置指示情報を含み、
ここで、前記第３シンボル数指示情報は前記Ｎを指示し、前記第３完全スロットフォーマット指示情報は、前記第３完全スロットに含まれる１４個のシンボルのリンクフォーマットを指示し、前記第１開始位置指示情報は、前記第３完全スロットでの前記連続するＮ個のシンボルの最初のシンボルの位置を指示する。
【００２７】
例示的に、前記スロットフォーマット指示情報はターゲットフォーマット識別子を含み、前記ターゲットの部分スロットに含まれるＮ個のシンボルのリンクフォーマットは、スロットフォーマットテーブルのうち、前記ターゲットフォーマット識別子に対応するターゲットのリンクフォーマットシーケンスに含まれるＮ個のシンボルのリンクフォーマットである。
【００２８】
前記スロットフォーマットテーブルには、フォーマット識別子とリンクフォーマットシーケンスとの対応関係が少なくとも１グループ記憶され、前記リンクフォーマットシーケンスは、Ｍ（Ｍはターゲットの正の整数セット内の正の整数である）個のシンボルのリンクフォーマットを含み、前記ターゲットの正の整数セットは１４より小さい正の整数を少なくとも１つ含み、前記ターゲットの正の整数セットには前記Ｎが存在する。
【００２９】
例示的に、前記リンクフォーマットシーケンスに含まれるＭ個のシンボルのリンクフォーマットは、第４完全スロットに含まれる１４個のシンボルのうちの連続するＭ個のシンボルのリンクフォーマットと同じである。
【００３０】
例示的に、前記リンクフォーマットシーケンスに含まれるＭ個のシンボルのリンクフォーマットは、いずれも任意の完全スロット内の任意の連続するＭ個のシンボルのリンクフォーマットと異なる。
【００３１】
例示的に、前記ターゲットのリンクフォーマットシーケンスは、Ｒ（Ｒは、Ｎより大きく且つ１４より小さい正の整数である）個のシンボルのリンクフォーマットで構成され、前記ターゲットの部分スロットに含まれるＮ個のシンボルのリンクフォーマットは、前記ターゲットのリンクフォーマットシーケンス内の連続するＮ個のシンボルのリンクフォーマットと同じである。
【００３２】
例示的に、前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示する。
【００３３】
例示的に、前記基地局によってターゲットチャネルを介して送信されたスロットフォーマット指示情報を受信することは、
前記基地局によって前記ターゲットチャネルを介して送信されたターゲットダウンリンク制御情報（ＤＣＩ）を受信することを含み、ここで、ターゲットＤＣＩは前記スロットフォーマット指示情報を搬送する。
【００３４】
本発明の実施例の第３態様によれば、スロットフォーマット指示装置を提供し、前記装置は、
ターゲットチャネルがアイドル状態にあることをセンシングした場合、スロットフォーマット指示情報を前記ターゲットチャネルを介してユーザ機器（ＵＥ）に送信するように構成される送信モジュールであって、前記スロットフォーマット指示情報は、ターゲットの部分スロットに含まれるＮ（Ｎは１４より小さい正の整数である）個のシンボルのリンクフォーマットを指示する送信モジュールを備え、
ここで、前記ターゲットの部分スロットは、基地局が前記ターゲットチャネルを占有している期間内にあり、前記ターゲットチャネルは無認可スペクトル上に位置する。
【００３５】
例示的に、前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのリンクフォーマットが、第１完全スロットに含まれる１４個のシンボルのうちの最後のＮ個のシンボルのリンクフォーマットと同じであることを指示する。
【００３６】
例示的に、前記スロットフォーマット指示情報は、第１シンボル数指示情報および第１完全スロットフォーマット指示情報を含み、
ここで、前記第１シンボル数指示情報は前記Ｎを指示し、前記第１完全スロットフォーマット指示情報は前記第１完全スロットに含まれる１４個のシンボルのリンクフォーマットを指示する。
【００３７】
例示的に、前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのリンクフォーマットが、第２完全スロットに含まれる１４個のシンボルのうちの最初のＮ個のシンボルのリンクフォーマットと同じであることを指示する。
【００３８】
例示的に、前記スロットフォーマット指示情報は、第２シンボル数指示情報及び第２完全スロットフォーマット指示情報を含み、
ここで、前記第２シンボル数指示情報は前記Ｎを指示し、前記第２完全スロットフォーマット指示情報は、前記第２完全スロットに含まれる１４個のシンボルのリンクフォーマットを指示する。
【００３９】
例示的に、前記スロットフォーマット指示情報は、前記ターゲットの部分スロットに含まれるＮ個のシンボルのリンクフォーマットが、第３完全スロットに含まれる１４個のシンボルのうちの連続するＮ個のシンボルのリンクフォーマットと同じであることを指示する。
【００４０】
例示的に、前記スロットフォーマット指示情報は、第３シンボル数指示情報、第３完全スロットフォーマット指示情報および第１開始位置指示情報を含み、
ここで、前記第３シンボル数指示情報は前記Ｎを指示し、前記第３完全スロットフォーマット指示情報は、前記第３完全スロットに含まれる１４個のシンボルのリンクフォーマットを指示し、前記第１開始位置指示情報は、前記第３完全スロットでの前記連続するＮ個のシンボルの最初のシンボルの位置を指示する。
【００４１】
例示的に、前記スロットフォーマット指示情報はターゲットフォーマット識別子を含み、前記ターゲットの部分スロットに含まれるＮ個のシンボルのリンクフォーマットは、スロットフォーマットテーブルのうち、前記ターゲットフォーマット識別子に対応するターゲットのリンクフォーマットシーケンスに含まれるＮ個のシンボルのリンクフォーマットである。
【００４２】
前記スロットフォーマットテーブルには、フォーマット識別子とリンクフォーマットシーケンスとの対応関係が少なくとも１グループ記憶され、前記リンクフォーマットシーケンスは、Ｍ（Ｍはターゲットの正の整数セット内の正の整数である）個のシンボルのリンクフォーマットを含み、前記ターゲットの正の整数セットは１４より小さい正の整数を少なくとも１つ含み、前記ターゲットの正の整数セットには前記Ｎが存在する。
【００４３】
例示的に、前記リンクフォーマットシーケンスに含まれるＭ個のシンボルのリンクフォーマットは、第４完全スロットに含まれる１４個のシンボルのうちの連続するＭ個のシンボルのリンクフォーマットと同じである。
【００４４】
例示的に、前記リンクフォーマットシーケンスに含まれるＭ個のシンボルのリンクフォーマットは、いずれも任意の完全スロット内の任意の連続するＭ個のシンボルのリンクフォーマットと異なる。
【００４５】
例示的に、前記ターゲットのリンクフォーマットシーケンスは、Ｒ（Ｒは、Ｎより大きく且つ１４より小さい正の整数である）個のシンボルのリンクフォーマットで構成され、前記ターゲットの部分スロットに含まれるＮ個のシンボルのリンクフォーマットは、前記ターゲットのリンクフォーマットシーケンス内の連続するＮ個のシンボルのリンクフォーマットと同じである。
【００４６】
例示的に、前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示する。
【００４７】
例示的に、前記送信モジュールは、具体的に、
ターゲットダウンリンク制御情報（ＤＣＩ）を前記ターゲットチャネルを介して前記ＵＥに送信するように構成され、ここで、ターゲットＤＣＩは前記スロットフォーマット指示情報を搬送する。
【００４８】
本発明の実施例の第４態様によれば、スロットフォーマット指示装置を提供し、前記装置は、
基地局によってターゲットチャネルを介して送信されたスロットフォーマット指示情報を受信するように構成される受信モジュールであって、前記スロットフォーマット指示情報は、ターゲットの部分スロットに含まれるＮ（Ｎは１４より小さい正の整数である）個のシンボルのリンクフォーマットを指示する受信モジュールを備え、
ここで、前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置する。
【００４９】
例示的に、前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのリンクフォーマットが、第１完全スロットに含まれる１４個のシンボルのうちの最後のＮ個のシンボルのリンクフォーマットと同じであることを指示する。
【００５０】
例示的に、前記スロットフォーマット指示情報は、第１シンボル数指示情報および第１完全スロットフォーマット指示情報を含み、
ここで、前記第１シンボル数指示情報は前記Ｎを指示し、前記第１完全スロットフォーマット指示情報は前記第１完全スロットに含まれる１４個のシンボルのリンクフォーマットを指示する。
【００５１】
例示的に、前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのリンクフォーマットが、第２完全スロットに含まれる１４個のシンボルのうちの最初のＮ個のシンボルのリンクフォーマットと同じであることを指示する。
【００５２】
例示的に、前記スロットフォーマット指示情報は、第２シンボル数指示情報及び第２完全スロットフォーマット指示情報を含み、
ここで、前記第２シンボル数指示情報は前記Ｎを指示し、前記第２完全スロットフォーマット指示情報は、前記第２完全スロットに含まれる１４個のシンボルのリンクフォーマットを指示する。
【００５３】
例示的に、前記スロットフォーマット指示情報は、前記ターゲットの部分スロットに含まれるＮ個のシンボルのリンクフォーマットが、第３完全スロットに含まれる１４個のシンボルのうちの連続するＮ個のシンボルのリンクフォーマットと同じであることを指示する。
【００５４】
例示的に、前記スロットフォーマット指示情報は、第３シンボル数指示情報、第３完全スロットフォーマット指示情報および第１開始位置指示情報を含み、
ここで、前記第３シンボル数指示情報は前記Ｎを指示し、前記第３完全スロットフォーマット指示情報は、前記第３完全スロットに含まれる１４個のシンボルのリンクフォーマットを指示し、前記第１開始位置指示情報は、前記第３完全スロットでの前記連続するＮ個のシンボルの最初のシンボルの位置を指示する。
【００５５】
例示的に、前記スロットフォーマット指示情報はターゲットフォーマット識別子を含み、前記ターゲットの部分スロットに含まれるＮ個のシンボルのリンクフォーマットは、スロットフォーマットテーブルのうち、前記ターゲットフォーマット識別子に対応するターゲットのリンクフォーマットシーケンスに含まれるＮ個のシンボルのリンクフォーマットである。
【００５６】
前記スロットフォーマットテーブルには、フォーマット識別子とリンクフォーマットシーケンスとの対応関係が少なくとも１グループ記憶され、前記リンクフォーマットシーケンスは、Ｍ（Ｍはターゲットの正の整数セット内の正の整数である）個のシンボルのリンクフォーマットを含み、前記ターゲットの正の整数セットは１４より小さい正の整数を少なくとも１つ含み、前記ターゲットの正の整数セットには前記Ｎが存在する。
【００５７】
例示的に、前記リンクフォーマットシーケンスに含まれるＭ個のシンボルのリンクフォーマットは、第４完全スロットに含まれる１４個のシンボルのうちの連続するＭ個のシンボルのリンクフォーマットと同じである。
【００５８】
例示的に、前記リンクフォーマットシーケンスに含まれるＭ個のシンボルのリンクフォーマットは、いずれも任意の完全スロット内の任意の連続するＭ個のシンボルのリンクフォーマットと異なる。
【００５９】
例示的に、前記ターゲットのリンクフォーマットシーケンスは、Ｒ（Ｒは、Ｎより大きく且つ１４より小さい正の整数である）個のシンボルのリンクフォーマットで構成され、前記ターゲットの部分スロットに含まれるＮ個のシンボルのリンクフォーマットは、前記ターゲットのリンクフォーマットシーケンス内の連続するＮ個のシンボルのリンクフォーマットと同じである。
【００６０】
例示的に、前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示する。
【００６１】
例示的に、前記受信モジュールは、具体的に、
前記基地局によって前記ターゲットチャネルを介して送信されたターゲットダウンリンク制御情報（ＤＣＩ）を受信するように構成され、ここで、ターゲットＤＣＩは前記スロットフォーマット指示情報を搬送する。
【００６２】
本発明の実施例の第５態様によれば、基地局を提供し、前記基地局は、
プロセッサと、
プロセッサ実行可能命令を記憶するように構成されるメモリとを備え、
前記プロセッサは、
ターゲットチャネルがアイドル状態にあることをセンシングした場合、スロットフォーマット指示情報を前記ターゲットチャネルを介してユーザ機器（ＵＥ）に送信するように構成され、前記スロットフォーマット指示情報は、ターゲットの部分スロットに含まれるＮ（Ｎは１４より小さい正の整数である）個のシンボルのリンクフォーマットを指示し、
ここで、前記ターゲットの部分スロットは、基地局が前記ターゲットチャネルを占有している期間内にあり、前記ターゲットチャネルは無認可スペクトル上に位置する。
【００６３】
本発明の実施例の第６態様によれば、ユーザ機器を提供し、前記ユーザ機器は、
プロセッサと、
プロセッサ実行可能命令を記憶するように構成されるメモリとを備え、
前記プロセッサは、
基地局によってターゲットチャネルを介して送信されたスロットフォーマット指示情報を受信するように構成され、前記スロットフォーマット指示情報は、ターゲットの部分スロットに含まれるＮ（Ｎは１４より小さい正の整数である）個のシンボルのリンクフォーマットを指示し、
ここで、前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置する。
【００６４】
本発明の実施例の第７態様によれば、スロットフォーマット指示システムを提供し、前記スロットフォーマット指示システムは、上記の第３態様のいずれか１つに記載のスロットフォーマット指示装置と、上記の第４態様のいずれか１つに記載のスロットフォーマット指示装置とを備える。
【００６５】
本発明の実施例の第８態様によれば、コンピュータ可読記憶媒体を提供し、前記コンピュータ可読記憶媒体には、コンピュータプログラムが記憶され、記憶された前記コンピュータプログラムが処理コンポーネントによって実行される時に、上記の第１態様のいずれか１つに記載のスロットフォーマット指示方法を実現することができ、または、
記憶された前記コンピュータプログラムが処理コンポーネントによって実行される時に、上記の第２態様のいずれか１つに記載のスロットフォーマット指示方法を実現することができる。
例えば、本願は以下の項目を提供する。
（項目１）
スロットフォーマット指示方法であって、
ターゲットチャネルがアイドル状態にあることをセンシングした場合、スロットフォーマット指示情報を前記ターゲットチャネルを介してユーザ機器（ＵＥ）に送信することであって、前記スロットフォーマット指示情報は、ターゲットの部分スロットに含まれるＮ（Ｎは１４より小さい正の整数である）個のシンボルのアップリンクフォーマット及びダウンリンクフォーマットを指示することを含み、
前記ターゲットの部分スロットは、基地局が前記ターゲットチャネルを占有している期間内にあり、前記ターゲットチャネルは無認可スペクトル上に位置することを特徴とする、前記スロットフォーマット指示方法。
（項目２）
前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示することを特徴とする、
項目１に記載のスロットフォーマット指示方法。
（項目３）
前記スロットフォーマット指示情報は、第１シンボル数指示情報および第１完全スロットフォーマット指示情報を含み、
前記第１シンボル数指示情報は前記Ｎを指示し、前記第１完全スロットフォーマット指示情報は前記第１完全スロットに含まれる１４個のシンボルのアップリンクフォーマット及びダウンリンクフォーマットを指示することを特徴とする、
項目２に記載のスロットフォーマット指示方法。
（項目４）
前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示することを特徴とする、
項目１に記載のスロットフォーマット指示方法。
（項目５）
前記スロットフォーマット指示情報は、第２シンボル数指示情報及び第２完全スロットフォーマット指示情報を含み、
前記第２シンボル数指示情報は前記Ｎを指示し、前記第２完全スロットフォーマット指示情報は、前記第２完全スロットに含まれる１４個のシンボルのアップリンクフォーマット及びダウンリンクフォーマットを指示することを特徴とする、
項目４に記載のスロットフォーマット指示方法。
（項目６）
前記スロットフォーマット指示情報は、前記ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示することを特徴とする、
項目１に記載のスロットフォーマット指示方法。
（項目７）
前記スロットフォーマット指示情報は、第３シンボル数指示情報、第３完全スロットフォーマット指示情報および第１開始位置指示情報を含み、
前記第３シンボル数指示情報は前記Ｎを指示し、前記第３完全スロットフォーマット指示情報は、前記第３完全スロットに含まれる１４個のシンボルのアップリンクフォーマット及びダウンリンクフォーマットを指示し、前記第１開始位置指示情報は、前記第３完全スロットでの前記連続するＮ個のシンボルの最初のシンボルの位置を指示することを特徴とする、
項目６に記載のスロットフォーマット指示方法。
（項目８）
前記スロットフォーマット指示情報はターゲットフォーマット識別子を含み、前記ターゲットの部分スロットに含まれるＮ個のシンボルのアップリンクフォーマット及びダウンリンクフォーマットは、スロットフォーマットテーブルのうち、前記ターゲットフォーマット識別子に対応するターゲットのアップリンクフォーマット及びダウンリンクフォーマットシーケンスに含まれるＮ個のシンボルのアップリンクフォーマット及びダウンリンクフォーマットであり、
前記スロットフォーマットテーブルには、フォーマット識別子とアップリンクフォーマット及びダウンリンクフォーマットシーケンスとの対応関係が少なくとも１グループ記憶され、前記アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、前記ターゲットの正の整数セットは１４より小さい正の整数を少なくとも１つ含み、前記ターゲットの正の整数セットには前記Ｎが存在することを特徴とする、
項目１に記載のスロットフォーマット指示方法。
（項目９）
前記アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じであることを特徴とする、
項目８に記載のスロットフォーマット指示方法。
（項目１０）
前記アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なることを特徴とする、
項目８に記載のスロットフォーマット指示方法。
（項目１１）
前記ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、前記ターゲットの部分スロットに含まれるＮ個のシンボルのアップリンクフォーマット及びダウンリンクフォーマットは、前記ターゲットのアップリンクフォーマット及びダウンリンクフォーマットシーケンス内の連続するＮ個のシンボルのアップリンクフォーマット及びダウンリンクフォーマットと同じであることを特徴とする、
項目１０に記載のスロットフォーマット指示方法。
（項目１２）
前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示することを特徴とする、
項目１１に記載のスロットフォーマット指示方法。
（項目１３）
前記スロットフォーマット指示情報を前記ターゲットチャネルを介してユーザ機器（ＵＥ）に送信することは、
ターゲットダウンリンク制御情報（ＤＣＩ）を前記ターゲットチャネルを介して前記ＵＥに送信することを含み、前記ターゲットＤＣＩは前記スロットフォーマット指示情報を搬送することを特徴とする、
項目１ないし１２のいずれか一項に記載のスロットフォーマット指示方法。
（項目１４）
スロットフォーマット指示方法であって、
基地局によってターゲットチャネルを介して送信されたスロットフォーマット指示情報を受信することであって、前記スロットフォーマット指示情報は、ターゲットの部分スロットに含まれるＮ（Ｎは１４より小さい正の整数である）個のシンボルのアップリンクフォーマット及びダウンリンクフォーマットを指示することを含み、
前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置することを特徴とする、前記スロットフォーマット指示方法。
（項目１５）
前記ターゲットの部分スロットは、前記基地局が前記ターゲットチャネルを占有している期間内の最初のスロットであり、
前記スロットフォーマット指示情報は、前記ターゲットの部分スロットに含まれるＮ個のシンボルのアップリンクフォーマット及びダウンリンクフォーマットが、第１完全スロットに含まれる１４個のシンボルのうちの最後のＮ個のシンボルのアップリンクフォーマット及びダウンリンクフォーマットと同じであることを指示することを特徴とする、
項目１４に記載のスロットフォーマット指示方法。
（項目１６）
前記スロットフォーマット指示情報は、第１シンボル数指示情報および第１完全スロットフォーマット指示情報を含み、
前記第１シンボル数指示情報は前記Ｎを指示し、前記第１完全スロットフォーマット指示情報は前記第１完全スロットに含まれる１４個のシンボルのアップリンクフォーマット及びダウンリンクフォーマットを指示することを特徴とする、
項目１５に記載のスロットフォーマット指示方法。
（項目１７）
前記ターゲットの部分スロットは、前記基地局が前記ターゲットチャネルを占有している期間内の最後のスロットであり、
前記スロットフォーマット指示情報は、前記ターゲットの部分スロットに含まれるＮ個のシンボルのアップリンクフォーマット及びダウンリンクフォーマットが、第２完全スロットに含まれる１４個のシンボルのうちの最初のＮ個のシンボルのアップリンクフォーマット及びダウンリンクフォーマットと同じであることを指示することを特徴とする、
項目１４に記載のスロットフォーマット指示方法。
（項目１８）
前記スロットフォーマット指示情報は、第２シンボル数指示情報及び第２完全スロットフォーマット指示情報を含み、
前記第２シンボル数指示情報は前記Ｎを指示し、前記第２完全スロットフォーマット指示情報は、前記第２完全スロットに含まれる１４個のシンボルのアップリンクフォーマット及びダウンリンクフォーマットを指示することを特徴とする、
項目１７に記載のスロットフォーマット指示方法。
（項目１９）
前記スロットフォーマット指示情報は、前記ターゲットの部分スロットに含まれるＮ個のシンボルのアップリンクフォーマット及びダウンリンクフォーマットが、第３完全スロットに含まれる１４個のシンボルのうちの連続するＮ個のシンボルのアップリンクフォーマット及びダウンリンクフォーマットと同じであることを指示することを特徴とする、
項目１４に記載のスロットフォーマット指示方法。
（項目２０）
前記スロットフォーマット指示情報は、第３シンボル数指示情報、第３完全スロットフォーマット指示情報および第１開始位置指示情報を含み、
前記第３シンボル数指示情報は前記Ｎを指示し、前記第３完全スロットフォーマット指示情報は、前記第３完全スロットに含まれる１４個のシンボルのアップリンクフォーマット及びダウンリンクフォーマットを指示し、前記第１開始位置指示情報は、前記第３完全スロットでの前記連続するＮ個のシンボルの最初のシンボルの位置を指示することを特徴とする、
項目１９に記載のスロットフォーマット指示方法。
（項目２１）
前記スロットフォーマット指示情報はターゲットフォーマット識別子を含み、前記ターゲットの部分スロットに含まれるＮ個のシンボルのアップリンクフォーマット及びダウンリンクフォーマットは、スロットフォーマットテーブルのうち、前記ターゲットフォーマット識別子に対応するターゲットのアップリンクフォーマット及びダウンリンクフォーマットシーケンスに含まれるＮ個のシンボルのアップリンクフォーマット及びダウンリンクフォーマットであり、
前記スロットフォーマットテーブルには、フォーマット識別子とアップリンクフォーマット及びダウンリンクフォーマットシーケンスとの対応関係が少なくとも１グループ記憶され、前記アップリンクフォーマット及びダウンリンクフォーマットシーケンスは、Ｍ（Ｍはターゲットの正の整数セット内の正の整数である）個のシンボルのアップリンクフォーマット及びダウンリンクフォーマットを含み、前記ターゲットの正の整数セットは１４より小さい正の整数を少なくとも１つ含み、前記ターゲットの正の整数セットには前記Ｎが存在することを特徴とする、
項目１４に記載のスロットフォーマット指示方法。
（項目２２）
前記アップリンクフォーマット及びダウンリンクフォーマットシーケンスに含まれるＭ個のシンボルのアップリンクフォーマット及びダウンリンクフォーマットは、第４完全スロットに含まれる１４個のシンボルのうちの連続するＭ個のシンボルのアップリンクフォーマット及びダウンリンクフォーマットと同じであることを特徴とする、
項目２１に記載のスロットフォーマット指示方法。
（項目２３）
前記アップリンクフォーマット及びダウンリンクフォーマットシーケンスに含まれるＭ個のシンボルのアップリンクフォーマット及びダウンリンクフォーマットは、いずれも任意の完全スロット内の任意の連続するＭ個のシンボルのアップリンクフォーマット及びダウンリンクフォーマットと異なることを特徴とする、
項目２１に記載のスロットフォーマット指示方法。
（項目２４）
前記ターゲットのアップリンクフォーマット及びダウンリンクフォーマットシーケンスは、Ｒ（Ｒは、Ｎより大きく且つ１４より小さい正の整数である）個のシンボルのアップリンクフォーマット及びダウンリンクフォーマットで構成され、前記ターゲットの部分スロットに含まれるＮ個のシンボルのアップリンクフォーマット及びダウンリンクフォーマットは、前記ターゲットのアップリンクフォーマット及びダウンリンクフォーマットシーケンス内の連続するＮ個のシンボルのアップリンクフォーマット及びダウンリンクフォーマットと同じであることを特徴とする、
項目２３に記載のスロットフォーマット指示方法。
（項目２５）
前記スロットフォーマット指示情報は、第４シンボル数指示情報及び第２開始位置指示情報をさらに含み、前記第４シンボル数指示情報は前記Ｎを指示し、前記第２開始位置指示情報は、前記Ｒ個のシンボルでの前記連続するＮ個のシンボルの最初のシンボルの位置を指示することを特徴とする、
項目２４に記載のスロットフォーマット指示方法。
（項目２６）
前記基地局によってターゲットチャネルを介して送信されたスロットフォーマット指示情報を受信することは、
前記基地局によって前記ターゲットチャネルを介して送信されたターゲットダウンリンク制御情報（ＤＣＩ）を受信することを含み、ターゲットＤＣＩは前記スロットフォーマット指示情報を搬送することを特徴とする、
項目１４ないし２５のいずれか一項に記載のスロットフォーマット指示方法。
（項目２７）
スロットフォーマット指示装置であって、
ターゲットチャネルがアイドル状態にあることをセンシングした場合、スロットフォーマット指示情報を前記ターゲットチャネルを介してユーザ機器（ＵＥ）に送信するように構成される送信モジュールであって、前記スロットフォーマット指示情報は、ターゲットの部分スロットに含まれるＮ（Ｎは１４より小さい正の整数である）個のシンボルのアップリンクフォーマット及びダウンリンクフォーマットを指示する送信モジュールを備え、
前記ターゲットの部分スロットは、基地局が前記ターゲットチャネルを占有している期間内にあり、前記ターゲットチャネルは無認可スペクトル上に位置することを特徴とする、前記スロットフォーマット指示装置。
（項目２８）
スロットフォーマット指示装置であって、
基地局によってターゲットチャネルを介して送信されたスロットフォーマット指示情報を受信するように構成される受信モジュールであって、前記スロットフォーマット指示情報は、ターゲットの部分スロットに含まれるＮ（Ｎは１４より小さい正の整数である）個のシンボルのアップリンクフォーマット及びダウンリンクフォーマットを指示する受信モジュールを備え、
前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置することを特徴とする、前記スロットフォーマット指示装置。
（項目２９）
基地局であって、
プロセッサと、
プロセッサ実行可能命令を記憶するように構成されるメモリとを備え、
前記プロセッサは、
ターゲットチャネルがアイドル状態にあることをセンシングした場合、スロットフォーマット指示情報を前記ターゲットチャネルを介してユーザ機器（ＵＥ）に送信するように構成され、前記スロットフォーマット指示情報は、ターゲットの部分スロットに含まれるＮ（Ｎは１４より小さい正の整数である）個のシンボルのアップリンクフォーマット及びダウンリンクフォーマットを指示し、
前記ターゲットの部分スロットは、基地局が前記ターゲットチャネルを占有している期間内にあり、前記ターゲットチャネルは無認可スペクトル上に位置することを特徴とする、前記基地局。
（項目３０）
ユーザ機器であって、
プロセッサと、
プロセッサ実行可能命令を記憶するように構成されるメモリとを備え、
前記プロセッサは、
基地局によってターゲットチャネルを介して送信されたスロットフォーマット指示情報を受信するように構成され、前記スロットフォーマット指示情報は、ターゲットの部分スロットに含まれるＮ（Ｎは１４より小さい正の整数である）個のシンボルのアップリンクフォーマット及びダウンリンクフォーマットを指示し、
前記スロットフォーマット指示情報は、前記基地局が、前記ターゲットチャネルがアイドル状態にあることをセンシングした時に送信されるものであり、前記ターゲットの部分スロットは前記基地局が前記ターゲットチャネルを占有している期間内にあり、前記ターゲットチャネルは無認可スペクトル上に位置することを特徴とする、前記ユーザ機器。
（項目３１）
スロットフォーマット指示システムであって、
項目２７に記載のスロットフォーマット指示装置と、項目２８に記載のスロットフォーマット指示装置とを備えることを特徴とする、前記スロットフォーマット指示システム。
（項目３２）
コンピュータ可読記憶媒体であって、
コンピュータプログラムが記憶され、記憶された前記コンピュータプログラムが処理コンポーネントによって実行される時に、項目１ないし１３のいずれか一項に記載のスロットフォーマット指示方法を実現することができ、または、
記憶された前記コンピュータプログラムが処理コンポーネントによって実行される時に、項目１４ないし２６のいずれか一項に記載のスロットフォーマット指示方法を実現することができる、前記コンピュータ可読記憶媒体
【発明の効果】
【００６６】
本発明の実施例によって提供される技術的解決策は、少なくとも、以下の有利な効果を含み得る。
【００６７】
無認可スペクトル上にあるターゲットチャネルがアイドル状態にある場合、当該ターゲットチャネルを介してスロットフォーマット指示情報をユーザ機器（ＵＥ）に送信し、ここで、当該スロットフォーマット指示情報は、ターゲットの部分スロットに含まれるＮ個のシンボルのリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【００６８】
上記した一般的な説明および後述する詳細な説明は、単なる例示および説明に過ぎず、本発明を限定するものではないことを理解されたい。
【図面の簡単な説明】
【００６９】
ここでの図面は、本明細書に組み込まれてその一部を構成し、本発明と一致する実施例を示し、明細書とともに本発明の原理を説明するために使用される。
【図１】基地局が無認可スペクトル上のチャネルを占有している期間内のスロットの概略図である。
【図２】一例示的な実施例によって示された実施環境の概略図である。
【図３】一例示的な実施例によって示されたスロットフォーマット指示方法のフローチャートである。
【図４】一例示的な実施例によって示されたスロットフォーマット指示方法のフローチャートである。
【図５】一例示的な実施例によって示されたスロットフォーマット指示方法のフローチャートである。
【図６】一例示的な実施例によって示されたスロットフォーマット指示装置のブロック図である。
【図７】一例示的な実施例によって示されたスロットフォーマット指示装置のブロック図である。
【図８】一例示的な実施例によって示されたスロットフォーマット指示装置のブロック図である。
【図９】一例示的な実施例によって示されたスロットフォーマット指示装置のブロック図である。
【図１０】一例示的な実施例によって示されたスロットフォーマット指示システムのブロック図である。
【発明を実施するための形態】
【００７０】
本発明の目的、技術的解決策及び利点をより明確にするために、以下では、図面と組み合わせて本発明の実施形態についてさらに詳しく説明する。
【００７１】
ここで、例示的な実施例について詳細に説明し、その例は図面に示す。特に明記しない限り、以下の説明が添付の図面に関する場合、異なる図面の同じ数字は同じまたは類似の要素を表す。以下の例示的な実施例で説明される実施形態は、本発明と一致するすべての実施形態を表すものではない。むしろ、それらは、添付された特許請求の範囲に詳述されたように、本発明の特定の態様と一致する装置および方法の例である。
【００７２】
５Ｇ  ＮＲ（Ｎｅｗ  Ｒａｄｉｏ  Ａｃｃｅｓｓ  Ｔｅｃｈｎｏｌｏｇｙ）通信システムにおいて、１つの完全スロットは、１４個のシンボル（ｓｙｍｂｏｌ）を含み、完全スロットのフォーマットとは、当該完全スロットに含まれる各シンボルのリンクフォーマットを指す。
【００７３】
ここで、シンボルのリンクフォーマットは、シンボル内のデータの伝送方向を表すために使用され、５Ｇ  ＮＲ通信システムにおいて、シンボルのリンクフォーマットは、それそれ、アップリンクフォーマット（通常、アルファベットＵで表す）、ダウンリックフォーマット（通常、アルファベットＤで表す）及びフレキシブルフォーマット（通常、アルファベットＸで表す）などの３つのカテゴリに分類することができる。
【００７４】
アップリンクフォーマットのシンボルにおいて、データの伝送方向はアップリンク方向であり、ユーザ機器（ＵＥ：Ｕｓｅｒ  Ｅｑｕｉｐｍｅｎｔ）は、通信データをアップリンクフォーマットのシンボル内で基地局に送信することができ、ダウンリックフォーマットのシンボルにおいて、データの伝送方向はダウンリック方向であり、ＵＥは、基地局によって送信された通信データをダウンリックフォーマットのシンボル内で受信することができ、フレキシブルフォーマットのシンボルにおいて、ＵＥは、基地局の更なる指定によって、当該シンボル内のデータの伝送方向を決定する必要があり、即ち、ＵＥは、基地局の更なる指定によって、ＵＥが当該シンボル内で通信データを基地局に送信することができるかどうかを決定する必要があり、または、ＵＥは、基地局の更なる指示によって、ＵＥが当該シンボル内で基地局によって送信された通信データを受信するかどうかを決定する必要がある。
【００７５】
現在、５Ｇ  ＮＲ通信システムは、完全スロットフォーマットのテーブルを定義し、テーブルには、２５６種類のフォーマットがある。ここで、最初の５６種類の完全スロットのフォーマットは明確に示され、その後の２００種類のフォーマットは、後続の決定のために予定されている。この５６種類の完全スロットのフォーマットは、テーブル１に示される。
【００７６】
【表１−１】
2021533639.tif 000016
【００７７】
【表１−２】
2021533639.tif 000017
【００７８】
表１に示されたように、スロットフォーマット番号が０である完全スロットフォーマットでは、各シンボルのリンクフォーマットがすべてダウンリックフォーマットであり、スロットフォーマット番号が１である完全スロットフォーマットでは、各シンボルのリンクフォーマットがすべてアップリンクフォーマットであり、スロットフォーマット番号が３である完全スロットフォーマットでは、最初の１３個のシンボルのリンクフォーマットがすべてダウンリックフォーマットであり、最後のシンボルのリンクフォーマットがフレキシブルフォーマットである。
【００７９】
５Ｇ  ＮＲ通信システムにおいて、基地局は、８ビット長のデータを使用して完全スロットのフォーマットをＵＥに指示することができる。このように、ＵＥは、基地局の指示に従って、完全スロットの各シンボルのリンクフォーマットを決定することができ、完全スロットの各シンボルのリンクフォーマットを決定した後、ＰＤＣＣＨを介して基地局からＵＥに送信されたダウンリンク制御情報（ＤＣＩ：Ｄｏｗｎｌｉｎｋ  Ｃｏｎｔｒｏｌ  Ｉｎｆｏｒｍａｔｉｏｎ）を受信するために、当該ＵＥは、ダウンリックフォーマットのシンボル内で物理ダウンリック控制チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）に対してブラインド検出を実行し、当該ＤＣＩのスケジューリングに従って、基地局によって送信された通信データを受信することができる同時に、ＵＥは、基地局の許可を要求することなく、アップリンクフォーマットのシンボル内で通信データを基地局に送信することもできる。
【００８０】
完全スロット内の各シンボルのリンクフォーマットを決定した後、ＵＥはアップリンクフォーマットのシンボル内でＰＤＣＣＨに対してブラインド検出を実行する必要がない同時に、ＵＥも基地局の許可を要求することなく、アップリンクフォーマットのシンボル内で通信データを基地局に送信することができるため、基地局は、完全スロットのフォーマットをＵＥに指示し、一方ではＵＥの電力消費を低減することができ、もう一方ではＵＥのアップリンク送信遅延を低減することができる。
【００８１】
実際の応用では、５Ｇ  ＮＲ通信システムは無認可スペクトル上で動作することができる。通常、無認可スペクトル上で動作する通信システムにおいて、基地局の通信は、リッスンビフォートーク（ＬＢＴ：Ｌｉｓｔｅｎ  Ｂｅｆｏｒｅ  Ｔａｌｋ）メカニズムを使用し、即ち、基地局は通信データを送信する前に、先ず、無認可スペクトル上のチャネル（以下、ターゲットチャネルと略称）をセンシングする必要があり、ターゲットチャネルがアイドル状態である場合のみ、当該ターゲットチャネルを占有して通信データを送信することができ、同時に、基地局が当該ターゲットチャネルを占有する時間は、最も長いチャネル占有時間（ＭＣＯＴ：Ｍａｘｉｍｕｍ  Ｃｈａｎｎｅｌ  Ｏｃｃｕｐａｎｃｙ  Ｔｉｍｅ）を超えてはならない。ターゲットチャネルを占有する時間がＭＣＯＴに達すると、基地局は、チャネルを競合するために、ＬＢＴを再度実行する必要がある。
【００８２】
実際の応用では、基地局がターゲットチャネルの占有を開始する時刻は、ちょうど完全スロットの中央位置にある可能性が高く、同時に、基地局が当該ターゲットチャネルの占有を終了する時刻も、ちょうど完全スロットの中央位置にある可能性が高い。
【００８３】
例えば、図１に示されたように、基地局がターゲットチャネルの占有を開始する時刻は、ちょうど完全スロット０の中央位置にあり、同時に、基地局が当該ターゲットチャネルの占有を終了する時刻は、ちょうど完全スロット４の中央位置にある。
【００８４】
基地局がターゲットチャネルの占有を開始及び終了する時刻が、両方とも１つの完全スロットの中央位置にある可能性が高いため、基地局がターゲットチャネルを占有する期間内に部分スロット（ｐａｒｔｉａｌ  ｓｌｏｔ）が存在する可能性が高い。いわゆる部分スロットとは、完全スロットに相対的な概念であり、５Ｇ  ＮＲ通信システムにおいて、部分スロットに含まれるシンボル数は１４個より小さい。
【００８５】
例えば、図１に示されたように、基地局がターゲットチャネルの占有を開始する時刻は、ちょうど完全スロット０の中央位置にあり、同時に、基地局が当該ターゲットチャネルの占有を終了する時刻は、ちょうど完全スロット４の中央位置にあるため、基地局がターゲットチャネルを占有する期間内に部分スロット１および部分スロット２が存在する。
【００８６】
現在の通信規格では、部分スロットのフォーマットが定義されていないと同時に、現在の通信規格では、部分スロットの指示方式も定義されていない。したがって、基地局がターゲットチャネルを占有する期間内に部分スロットが存在する場合、ＵＥは、基地局の指示に従って、当該部分スロット内のシンボルのリンクフォーマットを決定することができない。したがって、ＵＥは、当該部分スロットの各シンボルに対してＰＤＣＣＨのブラインド検出を実行する必要がある。同時に、当該部分スロット内で通信データを基地局に送信する必要がある場合、ＵＥは、基地局の許可を要求する必要があり、基地局の指示に従って通信データを送信するが、これは、間違いなく、基地局とＵＥ間の正常の通信に悪影響を及ぼす。
【００８７】
本発明の実施例は、基地局とＵＥ間の正常の通信に対する部分スロットの悪影響を低減させることができる、スロットフォーマット指示方法を提供する。
【００８８】
当該スロットフォーマット指示方法において、基地局は、ターゲットチャネルがアイドル状態にあることをセンシングした場合、スロットフォーマット指示情報をＵＥに送信し、ここで、当該スロットフォーマット指示情報は、ターゲットの部分スロットに含まれるＮ個のシンボルのリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもできる。このように、ＵＥの消費電力及びアップリンク送信遅延を低減させることができるため、基地局とＵＥ間の正常の通信に対する部分スロットの悪影響を低減させることができる。
【００８９】
以下、本発明の実施例で提供するスロットフォーマット指示方法に関する実施環境について説明する。
【００９０】
図２は、本発明の実施例で提供するスロットフォーマット指示方法に関する実施環境の概略図である。図２に示されたように、当該実施環境は基地局１０及びＵＥ２０を含み得る。基地局１０及びＵＥ２０は、通信ネットワークを介して接続することができ、ＵＥ２０は、基地局１０がサービスするセル内の任意のＵＥである。
【００９１】
ここで、上記の通信ネットワークは５Ｇ  ＮＲ通信ネットワークであってもよく、または、５Ｇ  ＮＲ通信ネットワークと類似の他の通信ネットワークであってもよい。
【００９２】
図３は、一例示的な実施例によって示されたスロットフォーマット指示方法のフローチャートであり、当該スロットフォーマット指示方法は、図２に示された基地局１０に使用されてもよく、図３に示されたように、当該スロットフォーマット指示方法は、次のステップを含む。
【００９３】
ステップ３０１において、ターゲットチャネルがアイドル状態にあることをセンシングした場合、基地局は、スロットフォーマット指示情報を当該ターゲットチャネルを介してＵＥに送信する。
【００９４】
ここで、当該スロットフォーマット指示情報は、ターゲットの部分スロットに含まれるＮ（Ｎは１４より小さい正の整数である）個のシンボルのリンクフォーマットを指示し、当該ターゲットの部分スロットは、基地局が当該ターゲットチャネルを占有している期間内にあり、当該ターゲットチャネルは無認可スペクトル上に位置する。
【００９５】
まとめると、本発明の実施例で提供するスロットフォーマット指示方法は、基地局が、無認可スペクトル上にあるターゲットチャネルがアイドル状態にある場合、スロットフォーマット指示情報をＵＥに送信し、ここで、当該スロットフォーマット指示情報は、ターゲットの部分スロットに含まれるＮ個のシンボルのリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【００９６】
図４は、一例示的な実施例によって示されたスロットフォーマット指示方法のフローチャートであり、当該スロットフォーマット指示方法は、図２に示されたＵＥ２０に使用されてもよく、図４に示されたように、当該スロットフォーマット指示方法は、次のステップを含む。
【００９７】
ステップ４０１において、ＵＥが、基地局によってターゲットチャネルを介して送信されたスロットフォーマット指示情報を受信する。
【００９８】
ここで、当該スロットフォーマット指示情報は、ターゲットの部分スロットに含まれるＮ（Ｎは１４より小さい正の整数である）個のシンボルのリンクフォーマットを指示し、当該スロットフォーマット指示情報は、基地局が、当該ターゲットチャネルがアイドル状態にあることをセンシングした時に送信され、当該ターゲットの部分スロットは、基地局が当該ターゲットチャネルを占有している期間内にあり、当該ターゲットチャネルは無認可スペクトル上に位置する。
【００９９】
まとめると、本発明の実施例で提供するスロットフォーマット指示方法は、基地局がターゲットチャネルを使用して送信したスロットフォーマット指示情報を受信し、ここで、当該スロットフォーマット指示情報は、ターゲットの部分スロットに含まれるＮ個のシンボルのリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【０１００】
図５は、一例示的な実施例によって示されたスロットフォーマット指示方法のフローチャートであり、当該スロットフォーマット指示方法は、図２に示された実施環境に使用されてもよく、図５に示されたように、当該スロットフォーマット指示方法は、次のステップを含む。
【０１０１】
ステップ５０１において、基地局が、ターゲットチャネルがアイドル状態にあるかどうかをセンシングする。
【０１０２】
上記のように、無認可スペクトル上で動作する通信システムにおいて、基地局は、通信データを送信する前に、無認可スペクトル上のチャネル（即ち、ターゲットチャネルである）をセンシングする必要があり、ターゲットチャネルがアイドル状態であることをセンシングした場合のみ、当該ターゲットチャネルを占有して通信データを送信する。したがって、本発明の実施例において、基地局は、上記のステップ５０１の技術的プロセスを実行する必要がある。
【０１０３】
ここで、ターゲットチャネルがアイドル状態にあることとは、当該ターゲットチャネルが占用されていないことを指し、対応的に、ターゲットチャネルがノンアイドル状態にあることとは、当該ターゲットチャネルが現在占用されていることを指す。
【０１０４】
ステップ５０２において、ターゲットチャネルがアイドル状態にあることをセンシングした場合、基地局は、スロットフォーマット指示情報をターゲットチャネルを介してＵＥに送信する。
【０１０５】
ターゲットチャネルがアイドル状態にあることをセンシングした場合、基地局は、当該ターゲットチャネルを占有し、当該ターゲットチャネルを介して通信データを伝送することができる。ここで、ＵＥの電力消費を低減し、ＵＥのアップリンク送信遅延を低減するために、即ち、基地局とＵＥ間の正常の通信に対する部分スロットの悪影響を低減するために、基地局は当該ターゲットチャネルを占有した後に、当該ターゲットチャネルを介してスロットフォーマット指示情報をＵＥに送信することができる。
【０１０６】
ここで、スロットフォーマット指示情報は、ターゲットの部分スロットに含まれるＮ（Ｎは１４より小さい正の整数である）個のシンボルのリンクフォーマットを指示し、当該ターゲットの部分スロットは、基地局がターゲットチャネルを占有している期間内にある。例えば、当該ターゲットの部分スロットは、図１に示された部分スロット１または部分スロット２であってもよい。
【０１０７】
本発明の一実施例において、基地局は、ＤＣＩを介して当該スロットフォーマット指示情報をＵＥに送信することができる。即ち、基地局は、ターゲットチャネルがアイドル状態にあることをセンシングした場合、ターゲットチャネルを介してＤＣＩをＵＥに送信することができ、ここで、当該ＤＣＩは、上記のスロットフォーマット指示情報を搬送する。
【０１０８】
本発明の実施例は、スロットフォーマット指示情報がターゲットの部分スロット的フォーマットに対して指示する２つの方式を提供し、ここで、ターゲットの部分スロットのフォーマットとは、当該ターゲットの部分スロットに含まれる各シンボルのリンクフォーマットを指す。以下、本発明の実施例は、この２つの方式について簡単に説明する。
【０１０９】
最初の方式として、スロットフォーマット指示情報は、完全スロット的フォーマットを使用してターゲットの部分スロットのフォーマットを指示することができる。
【０１１０】
上記の説明及び図１に示されたように、基地局がターゲットチャネルを占有している期間には、最大２つのターゲットの部分スロットが存在する可能性があることを分かることができる。当該２つのターゲットの部分スロットは、それぞれ、基地局がターゲットチャネルを占有している期間内の最初のスロット及び最後のスロットであってもよい。
【０１１１】
ここで、ターゲットの部分スロットが、基地局がターゲットチャネルを占有している期間内の最初のスロットであると、当該ターゲットの部分スロットに含まれるＮ個のシンボルは、１つの完全スロットに含まれる１４個のシンボルのうちの最後のＮ個のシンボルであってもよい。ターゲットの部分スロットが、基地局がターゲットチャネルを占有している期間内の最後のスロットであると、当該ターゲットの部分スロットに含まれるＮ個のシンボルは、１つの完全スロットに含まれる１４個のシンボル中的前Ｎ個のシンボルであってもよい。
【０１１２】
例えば、図１では、部分スロット１は７つのシンボルを含み得、当該７つのシンボルは、完全スロット０に含まれる１４個のシンボルのうちの最後の７つのシンボルであり、部分スロット２は７つのシンボルを含み得、当該７つのシンボルは、完全スロット４に含まれる１４個のシンボルのうちの最初の７つのシンボルを含む。
【０１１３】
上記の説明から分かるように、ターゲットの部分スロットに含まれるＮ個のシンボルは、１つの完全スロットに含まれる１４個のシンボルのサブセットであってもよく、したがって、本発明の実施例で提供する最初の指示方式において、スロットフォーマット指示情報は、完全スロットのフォーマットを使用してターゲットの部分スロットのフォーマットを指示することができる。
【０１１４】
例示的に、ターゲットの部分スロットが、基地局がターゲットチャネルを占有している期間内の最初のスロットである場合、当該スロットフォーマット指示情報は、ターゲットの部分スロットに含まれるＮ個のシンボルのリンクフォーマットが、第１完全スロットに含まれる１４個のシンボルのうちの最後のＮ個のシンボルのリンクフォーマットと同じであることを指示することができる。
【０１１５】
例えば、第１完全スロットのフォーマットは、表１においてスロットフォーマット番号が３である完全スロットフォーマットであってもよく、当該スロットフォーマット指示情報は、ターゲットの部分スロットに含まれるＮ個のシンボルのリンクフォーマットが、スロットフォーマット番号が３である完全スロットフォーマットのうちの最後のＮ個のシンボルのリンクフォーマットと同じであることを指示することができる。表１に示されたように、Ｎが３である場合、スロットフォーマット指示情報によって指示されたターゲットの部分スロットに含まれるＮ（３）個のシンボルのリンクフォーマットは、それぞれ、Ｄ（ダウンリックフォーマット）、Ｄ（ダウンリックフォーマット）及びＸ（フレキシブルフォーマット）である。
【０１１６】
この場合、スロットフォーマット指示情報は、第１シンボル数指示情報及び第１完全スロットフォーマット指示情報を含み得る。
【０１１７】
ここで、第１シンボル数指示情報は、上記のＮ（即ち、ターゲットの部分スロットに含まれるシンボル数である）を指示し、第１完全スロットフォーマット指示情報は、第１完全スロットに含まれる１４個のシンボルのリンクフォーマット（即ち、第１完全スロットのフォーマット）を指示する。
【０１１８】
本発明の一実施例において、当該第１シンボル数指示情報の長さは４ビットであってもよく、第１完全スロットフォーマット指示情報の長さは８ビットであってもよい。
【０１１９】
例示的に、ターゲットの部分スロットが、基地局がターゲットチャネルを占有している期間内の最後のスロットである場合、当該スロットフォーマット指示情報は、ターゲットの部分スロットに含まれるＮ個のシンボルのリンクフォーマットが、第２完全スロットに含まれる１４個のシンボルのうちの最初のＮ個のシンボルのリンクフォーマットと同じであることを指示することができる。
【０１２０】
例えば、第１完全スロットのフォーマットは、表１においてスロットフォーマット番号が１０である完全スロットフォーマットであってもよく、当該スロットフォーマット指示情報は、ターゲットの部分スロットに含まれるＮ個のシンボルのリンクフォーマットが、スロットフォーマット番号が１０である完全スロットフォーマットのうちの最後のＮ個のシンボルのリンクフォーマットと同じであることを指示することができる。表１に示されたように、Ｎが３である場合、スロットフォーマット指示情報によって指示されたターゲットの部分スロットに含まれるＮ（３）個のシンボルのリンクフォーマットは、それぞれ、Ｘ（フレキシブルフォーマット）、Ｕ（アップリンクフォーマット）及びＵ（ダウンリックフォーマット）である。
【０１２１】
この場合、スロットフォーマット指示情報は、第２シンボル数指示情報及び第２完全スロットフォーマット指示情報を含み得る。
【０１２２】
ここで、第２シンボル数指示情報は、上記のＮ（即ち、ターゲットの部分スロットに含まれるシンボル数である）を指示し、第２完全スロットフォーマット指示情報は、第２完全スロットに含まれる１４個のシンボルのリンクフォーマット（即ち、第２完全スロットのフォーマット）を指示する。
【０１２３】
本発明の一実施例において、当該第２シンボル数指示情報の長さは４ビットであってもよく、第２完全スロットフォーマット指示情報の長さは８ビットであってもよい。
【０１２４】
例示的に、ターゲットの部分スロットが、基地局がターゲットチャネルを占有している期間内の最初または最後のスロットである場合、当該スロットフォーマット指示情報は、さらに、ターゲットの部分スロットに含まれるＮ個のシンボルのリンクフォーマットが、第３完全スロットに含まれる１４個のシンボルのうちの連続するＮ個のシンボルのリンクフォーマットと同じであることを指示することができる。
【０１２５】
ここで、「連続するＮ個のシンボル」とは、第３完全スロットに含まれる１４個のシンボルのうちの最初のＮ個のシンボル及び最後のＮ個のシンボル以外の任意の連続するＮ個のシンボルであってもよい。
【０１２６】
例えば、第３完全スロットのフォーマットは、表１においてスロットフォーマット番号が１２である完全スロットフォーマットであってもよく、当該スロットフォーマット指示情報は、ターゲットの部分スロットに含まれるＮ個のシンボルのリンクフォーマットが、スロットフォーマット番号が１２である完全スロットフォーマットのうち、フォーマット番号が２であるシンボルを最初のシンボルとする連続するＮ個のシンボルのリンクフォーマットと同じであることを指示することができる。表１に示されたように、Ｎが３である場合、スロットフォーマット指示情報によって指示されたターゲットの部分スロットに含まれるＮ（３）個のシンボルのリンクフォーマットは、それぞれ、Ｘ（フレキシブルフォーマット）、Ｕ（アップリンクフォーマット）及びＵ（アップリンクフォーマット）である。
【０１２７】
この場合、スロットフォーマット指示情報は、第３シンボル数指示情報、第３完全スロットフォーマット指示情報及び第１開始位置指示情報を含み、
ここで、第３シンボル数指示情報は上記のＮ（即ち、ターゲットの部分スロットに含まれるシンボル数である）を指示し、第３完全スロットフォーマット指示情報は、第３完全スロットに含まれる１４個のシンボルのリンクフォーマット（即ち、第３完全スロットのフォーマット）を指示し、第１開始位置指示情報は、第３完全スロットでの上記の連続するＮ個のシンボルの最初のシンボルの位置を指示する。
【０１２８】
本発明の一実施例において、当該第３シンボル数指示情報の長さは４ビットであってもよく、第３完全スロットフォーマット指示情報の長さは８ビットであってもよく、第１開始位置指示情報の長さは４ビットであってもよい。
【０１２９】
例示的に、本発明の実施例において、当該第３シンボル数指示情報及び第１開始位置指示情報は、一緒に指示することができる。
【０１３０】
最初の方式において、第１完全スロットのフォーマット、第２完全スロットのフォーマット及び第３完全スロットのフォーマットの全ては、５Ｇ  ＮＲ通信システムで定義された５６種類の完全スロットフォーマットのうちの１つであってもよく、本発明の実施例は、これらに対して具体的に限定しないことに留意されたい。
【０１３１】
２番目の方式として、スロットフォーマット指示情報は、ターゲットフォーマット識別子を使用してターゲットの部分スロットのフォーマットを直接に指示することができる。
【０１３２】
この方式において、基地局及びＵＥは、両方とも、１つのスロットフォーマットテーブルを維持することができ、当該スロットフォーマットテーブルは、５Ｇ  ＮＲ通信システムによってプリセットされることができる。例えば、当該スロットフォーマットテーブルは、通信規格で規定されてもよく、または、当該スロットフォーマットテーブルは、基地局によって生成されてＵＥに送信されてもよい。
【０１３３】
当該スロットフォーマットテーブルには、フォーマット識別子とリンクフォーマットシーケンスとの対応関係が少なくとも１グループ記憶されることができ、ここで、前記リンクフォーマットシーケンスは、Ｍ（Ｍはターゲットの正の整数セット内の正の整数である）個のシンボルのリンクフォーマットを含み、当該ターゲットの正の整数セットは１４より小さい正の整数を少なくとも１つ含み、且つ、当該ターゲットの正の整数セットには上記のＮが存在する。
【０１３４】
例えば、Ｎは３であり得、当該ターゲットの正の整数セットは、３つの正の整数を含み得、それらは、それぞれ、２、３及び４（３はターゲットの正の整数セット内にある）であり、当該スロットフォーマットテーブルは表２に示す。
【０１３５】
【表２】
2021533639.tif 000018
【０１３６】
表２に示されたように、スロットフォーマットテーブルのリンクフォーマットシーケンスは、２つのシンボルのリンクフォーマット、３つのシンボルのリンクフォーマットまたは４つのシンボルのリンクフォーマットを含み得る。ここで、２、３及び４の全ては、ターゲットの正の整数セットに含まれた正の整数である。
【０１３７】
この方式において、前記スロットフォーマット指示情報はターゲットフォーマット識別子を含み得、ターゲットの部分スロットに含まれるＮ個のシンボルのリンクフォーマットは、スロットフォーマットテーブルのうち、当該ターゲットフォーマット識別子に対応するターゲットのリンクフォーマットシーケンスに含まれるＮ個のシンボルのリンクフォーマットであり得る。
【０１３８】
例えば、スロットフォーマット指示情報はターゲットフォーマット識別子ａ１を含み得、表２に示されたスロットフォーマットテーブルで当該ターゲットフォーマット識別子ａ１に対応するターゲットのリンクフォーマットシーケンスが「ＤＤＤ」である場合、ターゲットの部分スロットに含まれるＮ（３）個のシンボルのリンクフォーマットは、それぞれ、（ダウンリックフォーマット）、Ｄ（ダウンリックフォーマット）及びＤ（ダウンリックフォーマット）であり得る。
【０１３９】
一可能な実施形態において、スロットフォーマットテーブルのリンクフォーマットシーケンスに含まれるＭ個のシンボルのリンクフォーマットは、第４完全スロットに含まれる１４個のシンボルのうちの連続するＭ個のシンボルのリンクフォーマットと同じである。
【０１４０】
ここで、第４完全スロットのフォーマットは、５Ｇ  ＮＲ通信システムで定義された５６種類の完全スロットフォーマットのうちの１つであってもよい。
【０１４１】
別の可能な実施形態において、スロットフォーマットテーブルのリンクフォーマットシーケンスに含まれるＭ個のシンボルのリンクフォーマットは、いずれも任意の完全スロット内の任意の連続するＭ個のシンボルのリンクフォーマットと異なる。
【０１４２】
ここで、当該任意の完全スロットのフォーマットは、５Ｇ  ＮＲ通信システムで定義された５６種類の完全スロットフォーマットのうちの１つである。
【０１４３】
当該実施形態において、ターゲットフォーマット識別子に対応するターゲットのリンクフォーマットシーケンスは、Ｒ（Ｒは、Ｎより大きく且つ１４より小さい正の整数である）個のシンボルのリンクフォーマットで構成されることができ、ターゲットの部分スロットに含まれるＮ個のシンボルのリンクフォーマットは、当該ターゲットのリンクフォーマットシーケンス内の連続するＮ個のシンボルのリンクフォーマットと同じである。
【０１４４】
例示的に、当該実施形態において、スロットフォーマット指示情報は、ターゲットフォーマット識別子を含む以外にも、第４シンボル数指示情報及び第２開始位置指示情報をさらに含むことができる。
【０１４５】
ここで、第４シンボル数指示情報は、上記のＮを指示し、第２開始位置指示情報は、ターゲットのリンクフォーマットシーケンスに含まれるＲ個のシンボルでの上記の連続するＮ個のシンボルの最初のシンボル在の位置を指示する。
【０１４６】
ステップ５０３において、ＵＥが、基地局によって送信されたスロットフォーマット指示情報を受信する。
【０１４７】
まとめると、本発明の実施例で提供するスロットフォーマット指示方法は、基地局が、無認可スペクトル上にあるターゲットチャネルがアイドル状態にある場合、スロットフォーマット指示情報をＵＥに送信し、ここで、当該スロットフォーマット指示情報は、ターゲットの部分スロットに含まれるＮ個のシンボルのリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【０１４８】
図６は、一例示的な実施例によって示されたスロットフォーマット指示装置６００のブロック図であり、当該スロットフォーマット指示装置６００は、図２に示された基地局１０に配置されることができる。図６を参照すると、当該スロットフォーマット指示装置６００は、送信モジュール６０１を備える。
【０１４９】
ここで、当該送信モジュール６０１は、ターゲットチャネルがアイドル状態にあることをセンシングした場合、スロットフォーマット指示情報を当該ターゲットチャネルを介してユーザ機器（ＵＥ）に送信するように構成される。
【０１５０】
当該スロットフォーマット指示情報は、ターゲットの部分スロットに含まれるＮ（Ｎは１４より小さい正の整数である）個のシンボルのリンクフォーマットを指示し、当該ターゲットの部分スロットは、基地局が当該ターゲットチャネルを占有している期間内にあり、当該ターゲットチャネルは無認可スペクトル上に位置する。
【０１５１】
本発明の一実施例において、当該ターゲットの部分スロットは、当該基地局が当該ターゲットチャネルを占有している期間内の最初のスロットであり、当該スロットフォーマット指示情報は、当該ターゲットの部分スロットに含まれるＮ個のシンボルのリンクフォーマットが、第１完全スロットに含まれる１４個のシンボルのうちの最後のＮ個のシンボルのリンクフォーマットと同じであることを指示する。
【０１５２】
本発明の一実施例において、当該スロットフォーマット指示情報は、第１シンボル数指示情報および第１完全スロットフォーマット指示情報を含み、ここで、当該第１シンボル数指示情報は当該Ｎを指示し、当該第１完全スロットフォーマット指示情報は、当該第１完全スロットに含まれる１４個のシンボルのリンクフォーマットを指示する。
【０１５３】
本発明の一実施例において、当該ターゲットの部分スロットは、当該基地局が当該ターゲットチャネルを占有している期間内の最後のスロットであり、当該スロットフォーマット指示情報は、当該ターゲットの部分スロットに含まれるＮ個のシンボルのリンクフォーマットが、第２完全スロットに含まれる１４個のシンボルのうちの最初のＮ個のシンボルのリンクフォーマットと同じであることを指示する。
【０１５４】
本発明の一実施例において、当該スロットフォーマット指示情報は、第２シンボル数指示情報および第２完全スロットフォーマット指示情報を含み、ここで、当該第２シンボル数指示情報は当該Ｎを指示し、当該第２完全スロットフォーマット指示情報は、当該第２完全スロットに含まれる１４個のシンボルのリンクフォーマットを指示する。
【０１５５】
本発明の一実施例において、当該スロットフォーマット指示情報は、当該ターゲットの部分スロットに含まれるＮ個のシンボルのリンクフォーマットが、第３完全スロットに含まれる１４個のシンボルのうちの連続するＮ個のシンボルのリンクフォーマットと同じであることを指示する。
【０１５６】
本発明の一実施例において、当該スロットフォーマット指示情報は、第３シンボル数指示情報、第３完全スロットフォーマット指示情報および第１開始位置指示情報を含み、ここで、当該第３シンボル数指示情報は当該Ｎを指示し、当該第３完全スロットフォーマット指示情報は当該第３完全スロットに含まれる１４個のシンボルのリンクフォーマットを指示し、当該第３完全スロットでの当該第１開始位置指示情報は当該連続するＮ個のシンボルの最初のシンボルの位置を指示する。
【０１５７】
本発明の一実施例において、当該スロットフォーマット指示情報はターゲットフォーマット識別子を含み、当該ターゲットの部分スロットに含まれるＮ個のシンボルのリンクフォーマットは、スロットフォーマットテーブルで当該ターゲットフォーマット識別子に対応するターゲットのリンクフォーマットシーケンスに含まれるＮ個のシンボルのリンクフォーマットであり、ここで、当該スロットフォーマットテーブルには、フォーマット識別子とリンクフォーマットシーケンスとの対応関係が少なくとも１グループ記憶されることができ、当該リンクフォーマットシーケンスは、Ｍ（Ｍはターゲットの正の整数セット内の正の整数である）個のシンボルのリンクフォーマットを含み、当該ターゲットの正の整数セットは１４より小さい正の整数を少なくとも１つ含み、当該ターゲットの正の整数セットには当該Ｎが存在する。
【０１５８】
本発明の一実施例において、当該リンクフォーマットシーケンスに含まれるＭ個のシンボルのリンクフォーマットは、第４完全スロットに含まれる１４個のシンボルのうちの連続するＭ個のシンボルのリンクフォーマットと同じである。
【０１５９】
本発明の一実施例において、当該リンクフォーマットシーケンスに含まれるＭ個のシンボルのリンクフォーマットは、いずれも任意の完全スロット内の任意の連続するＭ個のシンボルのリンクフォーマットと異なる。
【０１６０】
本発明の一実施例において、当該ターゲットのリンクフォーマットシーケンスは、Ｒ（Ｒは、Ｎより大きく且つ１４より小さい正の整数である）個のシンボルのリンクフォーマットで構成され、当該ターゲットの部分スロットに含まれるＮ個のシンボルのリンクフォーマットは、当該ターゲットのリンクフォーマットシーケンス内の連続するＮ個のシンボルのリンクフォーマットと同じである。
【０１６１】
本発明の一実施例において、当該スロットフォーマット指示情報は、第４シンボル数指示情報及び第２開始位置指示情報をさらに含み、当該第４シンボル数指示情報は当該Ｎを指示し、当該第２開始位置指示情報は、当該Ｒ個のシンボルでの当該連続するＮ個のシンボルの最初のシンボルの位置を指示する。
【０１６２】
本発明の一実施例において、当該送信モジュール６０１は、具体的に、ターゲットダウンリンク制御情報（ＤＣＩ）を当該ターゲットチャネルを介して当該ＵＥに送信するように構成され、ここで、ターゲットＤＣＩは当該スロットフォーマット指示情報を搬送する。
【０１６３】
まとめると、本発明の実施例で提供するスロットフォーマット指示装置は、無認可スペクトル上にあるターゲットチャネルがアイドル状態にある場合、スロットフォーマット指示情報をＵＥに送信し、ここで、当該スロットフォーマット指示情報は、ターゲットの部分スロットに含まれるＮ個のシンボルのリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【０１６４】
上述の実施例の装置に関して、ここで、各モジュールが動作を実行する具体的な方法は、既に、前記方法に関する実施例で詳細に説明されており、ここでは詳細に説明しない。
【０１６５】
図７は、一例示的な実施例によって示されたスロットフォーマット指示装置７００のブロック図であり、当該スロットフォーマット指示装置７００は、図２に示されたＵＥ２０に配置されることができる。図７を参照すると、当該スロットフォーマット指示装置７００は、受信モジュール７０１を備える。
【０１６６】
ここで、受信モジュール７０１は、基地局によってターゲットチャネルを介して送信されたスロットフォーマット指示情報を受信するように構成される。
【０１６７】
当該スロットフォーマット指示情報は、ターゲットの部分スロットに含まれるＮ（Ｎは１４より小さい正の整数である）個のシンボルのリンクフォーマットを指示し、当該スロットフォーマット指示情報は、当該基地局が、当該ターゲットチャネルがアイドル状態にあることをセンシングした時に送信され、当該ターゲットの部分スロットは、当該基地局が当該ターゲットチャネルを占有している期間内にあり、当該ターゲットチャネルは無認可スペクトル上に位置する。
【０１６８】
本発明の一実施例において、当該ターゲットの部分スロットは、当該基地局が当該ターゲットチャネルを占有している期間内の最初のスロットであり、当該スロットフォーマット指示情報は、当該ターゲットの部分スロットに含まれるＮ個のシンボルのリンクフォーマットが、第１完全スロットに含まれる１４個のシンボルのうちの最後のＮ個のシンボルのリンクフォーマットと同じであることを指示する。
【０１６９】
本発明の一実施例において、当該スロットフォーマット指示情報は、第１シンボル数指示情報および第１完全スロットフォーマット指示情報を含み、ここで、当該第１シンボル数指示情報は当該Ｎを指示し、当該第１完全スロットフォーマット指示情報は、当該第１完全スロットに含まれる１４個のシンボルのリンクフォーマットを指示する。
【０１７０】
本発明の一実施例において、当該ターゲットの部分スロットは、当該基地局が当該ターゲットチャネルを占有している期間内の最後のスロットであり、当該スロットフォーマット指示情報は、当該ターゲットの部分スロットに含まれるＮ個のシンボルのリンクフォーマットが、第２完全スロットに含まれる１４個のシンボルのうちの最初のＮ個のシンボルのリンクフォーマットと同じであることを指示する。
【０１７１】
本発明の一実施例において、当該スロットフォーマット指示情報は、第２シンボル数指示情報および第２完全スロットフォーマット指示情報を含み、ここで、当該第２シンボル数指示情報は当該Ｎを指示し、当該第２完全スロットフォーマット指示情報は、当該第２完全スロットに含まれる１４個のシンボルのリンクフォーマットを指示する。
【０１７２】
本発明の一実施例において、当該スロットフォーマット指示情報は、当該ターゲットの部分スロットに含まれるＮ個のシンボルのリンクフォーマットが、第３完全スロットに含まれる１４個のシンボルのうちの連続するＮ個のシンボルのリンクフォーマットと同じであることを指示する。
【０１７３】
本発明の一実施例において、当該スロットフォーマット指示情報は、第３シンボル数指示情報、第３完全スロットフォーマット指示情報および第１開始位置指示情報を含み、ここで、当該第３シンボル数指示情報は当該Ｎを指示し、当該第３完全スロットフォーマット指示情報は当該第３完全スロットに含まれる１４個のシンボルのリンクフォーマットを指示し、当該第３完全スロットでの当該第１開始位置指示情報は当該連続するＮ個のシンボルの最初のシンボルの位置を指示する。
【０１７４】
本発明の一実施例において、当該スロットフォーマット指示情報はターゲットフォーマット識別子を含み、当該ターゲットの部分スロットに含まれるＮ個のシンボルのリンクフォーマットは、スロットフォーマットテーブルで当該ターゲットフォーマット識別子に対応するターゲットのリンクフォーマットシーケンスに含まれるＮ個のシンボルのリンクフォーマットであり、ここで、当該スロットフォーマットテーブルには、フォーマット識別子とリンクフォーマットシーケンスとの対応関係が少なくとも１グループ記憶されることができ、当該リンクフォーマットシーケンスは、Ｍ（Ｍはターゲットの正の整数セット内の正の整数である）個のシンボルのリンクフォーマットを含み、当該ターゲットの正の整数セットは１４より小さい正の整数を少なくとも１つ含み、当該ターゲットの正の整数セットには当該Ｎが存在する。
【０１７５】
本発明の一実施例において、当該リンクフォーマットシーケンスに含まれるＭ個のシンボルのリンクフォーマットは、第４完全スロットに含まれる１４個のシンボルのうちの連続するＭ個のシンボルのリンクフォーマットと同じである。
【０１７６】
本発明の一実施例において、当該リンクフォーマットシーケンスに含まれるＭ個のシンボルのリンクフォーマットは、いずれも任意の完全スロット内の任意の連続するＭ個のシンボルのリンクフォーマットと異なる。
【０１７７】
本発明の一実施例において、当該ターゲットのリンクフォーマットシーケンスは、Ｒ（Ｒは、Ｎより大きく且つ１４より小さい正の整数である）個のシンボルのリンクフォーマットで構成され、当該ターゲットの部分スロットに含まれるＮ個のシンボルのリンクフォーマットは、当該ターゲットのリンクフォーマットシーケンス内の連続するＮ個のシンボルのリンクフォーマットと同じである。
【０１７８】
本発明の一実施例において、当該スロットフォーマット指示情報は、第４シンボル数指示情報及び第２開始位置指示情報をさらに含み、当該第４シンボル数指示情報は当該Ｎを指示し、当該第２開始位置指示情報は、当該Ｒ個のシンボルでの当該連続するＮ個のシンボルの最初のシンボルの位置を指示する。
【０１７９】
本発明の一実施例において、当該受信モジュール７０１は、具体的に、当該ターゲットチャネルを介して当該基地局によって送信されたターゲットダウンリンク制御情報（ＤＣＩ）を受信するように構成され、ここで、ターゲットＤＣＩは当該スロットフォーマット指示情報を搬送する。
【０１８０】
まとめると、本発明の実施例で提供するスロットフォーマット指示装置は、基地局がターゲットチャネルを使用して送信したスロットフォーマット指示情報を受信し、ここで、当該スロットフォーマット指示情報は、ターゲットの部分スロットに含まれるＮ個のシンボルのリンクフォーマットを指示し、当該ターゲットの部分スロットは、基地局が当該ターゲットチャネルを占有している期間内にあり、このように、ＵＥは、スロットフォーマット指示情報の指示に従って、当該ターゲットの部分スロット内のシンボルのリンクフォーマットを取得することができ、それにより、ＵＥが、基地局の許可を要求することなく、ターゲットの部分スロット内のアップリンクフォーマットのシンボルを介して通信データを基地局に送信することができる同時に、ＵＥがターゲットの部分スロットのアップリンクフォーマットのシンボル内でＰＤＣＣＨのブラインド検出を実行することもでき、このように、ＵＥの消費電力及びアップリンク送信遅延を低減させることができるため、基地局とＵＥ間の正常の通信に対する部分スロットの悪影響を低減させることができる。
【０１８１】
上述の実施例の装置に関して、ここで、各モジュールが動作を実行する具体的な方法は、既に、前記方法に関する実施例で詳細に説明されており、ここでは詳細に説明しない。
【０１８２】
図８は、一例示的な実施例によって示されたスロットフォーマット指示装置８００のブロック図である。例えば、スロットフォーマット指示装置８００は、携帯電話、コンピュータ、デジタル放送端末、メッセージングデバイス、ゲームコンソール、タブレットデバイス、医療機器、フィットネス機器、携帯情報端末等であってもよい。
【０１８３】
図８を参照すると、装置８００は、処理コンポーネント８０２、メモリ８０４、電力コンポーネント８０６、マルチメディアコンポーネント８０８、オーディオコンポーネント８１０、入力／出力（Ｉ／Ｏ）インターフェース８１２、センサコンポーネント８１４、及び通信コンポーネント８１６のうちの１つまたは複数のコンポーネットを備えることができる。
【０１８４】
処理コンポーネント８０２は、一般的に、ディスプレイ、電話の呼び出し、データ通信、カメラ操作及び記録操作に関する操作のような装置８００の全般的な操作を制御する。処理コンポーネント８０２は、上記の方法の実施例ののうち、ＵＥによって実行されるステップのすべてまたは一部を完了するために、１つまたは複数のプロセッサ８２０を備えて命令を実行することができる。加えて、処理コンポーネント８０２は、処理コンポーネント８０２と他のコンポーネントの間の相互作用を容易にするために、１つまたは複数のモジュールを備えることができる。例えば、処理コンポーネント８０２は、マルチメディアコンポーネント８０８と処理コンポーネント８０２との間の相互作用を容易にするために、マルチメディアモジュールを備えることができる。
【０１８５】
メモリ８０４は、装置８００での操作をサポートするために、様々なタイプのデータを格納するように構成される。これらのデータの例には、装置８００で動作する任意のアプリケーションまたは方法の命令、連絡先データ、電話帳データ、メッセージ、写真、ビデオ等が含まれる。メモリ８０４は、スタティックランダムアクセスメモリ（ＳＲＡＭ）、電気的に消去可能なプログラム可能な読み取り専用メモリ（ＥＥＰＲＯＭ）、消去可能なプログラム可能な読み取り専用メモリ（ＥＰＲＯＭ）、プログラム可能な読み取り専用メモリ（ＰＲＯＭ）、磁気メモリ、フラッシュメモリ、磁気ディスクまたは光ディスクなど、あらゆるタイプの揮発性または不揮発性ストレージデバイスまたはそれらの組み合わせによって実現されることができる。
【０１８６】
電力コンポーネント８０６は、装置８００の様々なコンポーネントに電力を提供する。電力コンポーネント８０６は、電力管理システム、１つまたは複数の電源、及び装置８００の電力の生成、管理および分配に関する他のコンポーネントを備えることができる。
【０１８７】
マルチメディアコンポーネント８０８は、前記バッテリの充電装置８００とユーザとの間の、出力インターフェースを提供するスクリーンを備える。いくつかの実施例において、スクリーンは、液晶ディスプレイ（ＬＣＤ）及びタッチパネル（ＴＰ）を備えることができる。スクリーンがタッチパネルを備える場合、スクリーンは、ユーザからの入力信号を受信するためのタッチスクリーンとして実装されることができる。タッチパネルは、タッチ、スワイプ及びタッチパネルでのジェスチャーを検知するための１つまたは複数のタッチセンサを備える。前記タッチセンサは、タッチまたはスワイプの操作の境界を感知するだけでなく、前記タッチまたはスワイプ動作に関連する持続時間及び圧力も検出することができる。いくつかの実施例において、マルチメディアコンポーネント８０８は、１つのフロントカメラおよび／またはリアカメラを備える。装置８００が撮影モードまたはビデオモードなどの動作モードにあるとき、フロントカメラおよび／またはリアカメラは、外部のマルチメディアデータを受信することができる。各フロントカメラ及びリアカメラは、固定された光学レンズシステムであり、または焦点距離と光学ズーム機能を持つことができる。
【０１８８】
オーディオコンポーネント８１０は、オーディオ信号を出力および／または入力するように構成される。例えば、オーディオコンポーネント８１０は、１つのマイクロフォン（ＭＩＣ）を備え、装置８００が通話モード、録音モード及び音声認識モードなどの動作モードにあるとき、マイクロフォンは、外部オーディオ信号を受信するように構成される。受信されたオーディオ信号は、メモリ８０４にさらに記憶されてもよく、または通信コンポーネント８１６を介して送信されてもよい。  いくつかの実施例において、オーディオコンポーネント８１０は、オーディオ信号を出力するためのスピーカをさらに備える。
【０１８９】
Ｉ／Ｏインターフェース８１２は、処理コンポーネント８０２と周辺インターフェースモジュールとの間にインターフェースを提供し、前記周辺インターフェースモジュールは、キーボード、クリックホイール、ボタンなどであってもよい。これらのボタンは、ホームボタン、ボリュームボタン、スタートボタン、ロックボタンを備えることができるが、これらに限定されない。
【０１９０】
センサコンポーネント８１４は、装置８００に各態様の状態の評価を提供するための１つまたは複数のセンサを備える。例えば、センサコンポーネント８１４は、機器８００のオン／オフ状態と、装置８００のディスプレイやキーパッドなどのコンポーネントの相対的な位置づけを検出することができ、センサコンポーネント８１４は、装置８００または装置８００のコンポーネントの位置の変化、ユーザとの装置８００の接触の有無、装置８００の向きまたは加速／減速、及び装置８００の温度の変化も検出することができる。センサコンポ―ネット８１４は、物理的接触なしに近くの物体の存在を検出するように構成された近接センサを備えることができる。センサコンポーネント８１４は、撮像用途で使用するためのＣＭＯＳまたはＣＣＤ画像センサなどの光センサをさらに備えることができる。いくつかの実施例において、当該センサコンポーネント８１４は、加速度センサ、ジャイロスコープセンサ、磁気センサ、圧力センサまたは温度センサをさらに備えることができる。
通信コンポーネント８１６は、装置８００と他の装置の間の有線または無線通信を容易にするように構成される。装置８００は、ＷｉＦｉ、２Ｇまたは３Ｇ、またはそれらの組み合わせなどの通信規格に基づく無線ネットワークにアクセスすることができる。一例示的な実施例において、前記通信コンポーネント８１６は、放送チャンネルを介して外部放送管理システムからの放送信号または放送関連情報を受信する。一例示的な実施例において、前記通信コンポーネント８１６は、短距離通信を促進するために、近距離通信（ＮＦＣ）モジュールをさらに備える。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及び他の技術に基づいて具現することができる。
【０１９１】
例示的な実施例において、装置８００は、上記の方法の実施例のうちＵＥによって実行される技術的プロセスを実行するように構成される、１つまたは複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子素子によって具現されることができる。
【０１９２】
例示的な実施例において、命令を含むメモリ８０４などの、命令を含む非一時的なコンピュータ読み取り可能な記憶媒体をさらに提供し、前記命令は、装置８００のプロセッサ８２０によって実行されて上記の方法の実施例のうちＵＥによって実行される技術的プロセスを完了することができる。例えば、前記非一時的なコンピュータ読み取り可能な記憶媒体は、ＲＯＭ、ランダムアクセスメモリ（ＲＡＭ）、ＣＤ−ＲＯＭ、磁気テープ、フロッピー（登録商標）ディスクおよび光学データ記憶装置などであってもよい。
【０１９３】
図９は、一例示的な実施例によって示されたスロットフォーマット指示装置９００のブロック図である。例えば、スロットフォーマット指示装置９００は基地局であってもよい。図９に示されたように、スロットフォーマット指示装置９００は、プロセッサ９０１、受信機９０２、送信機９０３及びメモリ９０４を備える。受信機９０２、送信機９０３及びメモリ９０４は、それぞれ、バスを介してプロセッサ９０１に接続する。
【０１９４】
ここで、プロセッサ９０１は１つまたは１つ以上の処理コアを備え、プロセッサ９０１は、ソフトウェアプログラム及びモジュールを実行することにより、本発明の実施例で提供するスロットフォーマット指示方法のうち、基地局によって実行される方法を実行する。メモリ９０４は、ソフトウェアプログラム及びモジュールを記憶するように構成される。具体的に、メモリ９０４は、操作システム９０４１、少なくとも１つの機能によって必要とされるアプリケーションプログラムモジュール９０４２を記憶することができる。受信機９０２は、他の機器によって送信された通信データを受信するように構成され、送信機９０３は、通信データを他の機器に送信するように構成される。
【０１９５】
図１０は、一例示的な実施例によって示されたスロットフォーマット指示システム１０００的ブロック図であり、図１０に示されたように、当該スロットフォーマット指示システム１０００は基地局１００１及びＵＥ１００２を備える。
【０１９６】
ここで、基地局１００１は、図５に示された実施例の基地局によって実行されるスロットフォーマット指示方法を実行するように構成される。
【０１９７】
ＵＥ１００２は、図５に示された実施例のＵＥによって実行されるスロットフォーマット指示方法を実行するように構成される。
【０１９８】
例示的な実施例では、コンピュータ可読記憶媒体をさらに提供し、当該コンピュータ可読記憶媒体は、不揮発性コンピュータ可読記憶媒体であり、当該コンピュータ可読記憶媒体にはコンピュータプログラムが記憶され、記憶されたコンピュータプログラムが処理コンポーネントによって実行される場合、本発明の上記の実施例で提供するスロットフォーマット指示方法を実現することができる。
【０１９９】
本発明の実施例は、コンピュータプログラム製品をさらに提供し、当該コンピュータプログラム製品には命令が記憶され、それがコンピュータによって実行される時に、コンピュータが、本発明の実施例で提供するスロットフォーマット指示方法を実行することができるようにする。
【０２００】
本発明の実施例はチップをさらに提供し、当該チップは、プログラム可能な論理回路及び／又はプログラム命令を備え、当該チップが実行される時に、本発明の実施例で提供するスロットフォーマット指示方法を実行することができる。
【０２０１】
当業者は、明細書を考慮して、本明細書に開示された発明を実施した後に、本発明の他の実施形態を容易に想到し得るであろう。本願は、本発明のあらゆる変形、応用または適応性変化を網羅することを意図し、これらの変形、応用または適応性変化は、本発明の普通の原理に準拠し、本発明によって開示されない本技術分野における公知知識または従来の技術的手段を含む。明細書と実施例は、例示としてのみ考慮され、本発明の真の範囲および思想は添付の特許請求の範囲によって示される。
【０２０２】
本発明は、上記に既に説明し且つ図面に示した正確な構造に限定されるものではなく、その範囲から逸脱することなく様々な修正及び変更を行うことができることを理解されたい。本発明の範囲は、添付の特許請求の範囲によってのみ制限される。
【国際調査報告】
2021533639.tif 000019
2021533639.tif 000020
2021533639.tif 000021
2021533639.tif 000022